(57)【特許請求の範囲】
【請求項１】
多入力多出力（MIMO）技術を用いる無線ローカルエリアネットワークシステムに適用される伝送装置であって、
ロング・トレーニング・フィールド（LTF）パラメータを取得し、割り当てられるサブキャリアの開始位置Iを取得するように構成される取得ユニットであって、前記LTFパラメータは、LTFシーケンスを生成するために必要な周波数ドメイン変換パラメータ及び時間ドメイン変換パラメータを含む、取得ユニットと、
前記取得ユニットによって取得された前記周波数ドメイン変換パラメータ及び前記開始位置Iに従って、LTF基本シーケンスに対して周波数ドメイン変換を実行して、LTFシンボルを取得するように構成される周波数ドメイン変換ユニットと、
前記取得ユニットによって取得される前記時間ドメイン変換パラメータに従って、前記周波数ドメイン変換ユニットによって取得された前記LTFシンボルに対して時間ドメイン変換を実行して、前記LTFシーケンスを取得するように構成される時間ドメイン変換ユニットと、
前記時間ドメイン変換ユニットによって取得された前記LTFシーケンスを第１のデータフレームに追加し、前記第１のデータフレームを第２の装置に送信するように構成される送信ユニットであって、それにより、前記第２の装置は前記LTFシーケンスに従って前記LTF基本シーケンスを決定し、前記LTF基本シーケンスに従ってチャネル推定を実行する、送信ユニットと、
を備え、
前記伝送装置はステーションSTAであり、前記第２の装置はアクセスポイントAPであり、
前記取得ユニットは、
前記第２の装置によって送信される、指示情報を搬送する第２のデータフレームを受信するように構成される受信モジュールであって、前記指示情報は前記LTFパラメータを示すのに用いられる、受信モジュールと、
前記受信モジュールによって取得された前記指示情報と、事前構成されたマッピング関係テーブルとに従って、前記LTFパラメータを取得するように構成される取得モジュールと、
を有し、
前記事前構成されたマッピング関係テーブルは、
多重化空間ストリームの数Nssと、前記APのタイプと、前記Nssと前記APのタイプとに対応するパラメータ、及び、
多重化空間ストリームの数Nssと、前記APが配置された環境のタイプと、前記Nssと前記APが配置された前記環境のタイプとに対応するパラメータ、及び、
多重化空間ストリームの数Nssと、前記Nssに対応するパラメータ、及び、
多重化空間ストリームの数Nssと、変調符号化方式（MCS）特性情報と、前記Nss及び前記MCS特性情報に対応するパラメータ、
のうち１つ以上を含む、
伝送装置。
【請求項２】
前記周波数ドメイン変換パラメータは、空間ストリームを区別するためのサブキャリア数Mと、前記LTF基本シーケンスのエレメントの数Lと、サブキャリア数Sとを含み、
前記周波数ドメイン変換ユニットは、
前記開始位置Iから開始して、
【数３３】
0006454779.tif 000054
個のサブキャリアの間隔で、前記LTF基本シーケンス内の各エレメントを対応するサブキャリアにマッピングして、周波数ドメインLTFシーケンスを取得するように構成されるマッピングモジュールであって、
【数３４】
0006454779.tif 000055
は切捨てを示す、マッピングモジュールと、
前記マッピングモジュールによって取得された前記周波数ドメインLTFシーケンスに対してSポイント逆高速フーリエ変換（IFFT変換）を実行して、LTF基本シンボルを得るように構成される逆変換モジュールと、
前記逆変換モジュールによって取得された前記LTF基本シンボルをサイクリックプレフィックスCPと組み合わせて、前記LTFシンボルを生成するように構成される生成モジュールと、
を有する、請求項１に記載の伝送装置。
【請求項３】
前記周波数ドメイン変換パラメータは、空間ストリームを区別するためのサブキャリア数Mと、前記LTF基本シーケンスのエレメントの数Lと、サブキャリア数Sとを含み、
前記周波数ドメイン変換ユニットは、
Mに従って、前記LTF基本シーケンス内の各エレメントに対してスペクトラム拡散処理を実行して、LTFスペクトラム拡散シーケンスを得るように構成されるスペクトラム拡散モジュールであって、前記LTFスペクトラム拡散シーケンスはM＊L個のエレメントを含む、スペクトラム拡散モジュールと、
前記開始位置Iから開始して、前記スペクトラム拡散モジュールによって得られた前記LTFスペクトラム拡散シーケンス内の各エレメントを対応するサブキャリアにマッピングして、周波数ドメインLTFシーケンスを得るように構成されるマッピングモジュールと、
前記マッピングモジュールによって取得された前記周波数ドメインLTFシーケンスに対してSポイントIFFT変換を実行して、LTF基本シンボルを得るように構成される逆変換モジュールと、
前記逆変換モジュールによって取得された前記LTF基本シンボルをCPと組み合わせて、前記LTFシンボルを生成するように構成される生成モジュールと、
を有する、請求項１に記載の伝送装置。
【請求項４】
前記時間ドメイン変換パラメータは、前記LTFシーケンスに含まれる前記LTFシンボルの数Nを含み、
前記時間ドメイン変換ユニットは、Nに従って、前記LTFシンボルにスペクトラム拡散処理を実行して前記LTFシーケンスを生成するように構成される、
請求項１乃至３のいずれか一項に記載の伝送装置。
【請求項５】
多入力多出力（MIMO）技術を用いる無線ローカルエリアネットワークシステムに適用される伝送装置であって、
第１の装置によって送信される、ロング・トレーニング・フィールド（LTF）シーケンスを搬送する第１のデータフレームを受信するように構成される受信ユニットと、
前記受信ユニットによって受信された前記LTFシーケンスに従って、LTF基本シーケンスを決定し、前記LTF基本シーケンスに従ってチャネル推定を実行するように構成される処理ユニットと、
を備え、
前記伝送装置はアクセスポイントAPであり、前記第１の装置はステーションSTAであり、
前記伝送装置は更に、前記受信ユニットが前記第１の装置によって送信される、前記LTFシーケンスを搬送する前記第１のデータフレームを受信する前に、事前構成されたマッピング関係テーブルに従って、LTFパラメータを取得するように構成される取得ユニットであって、前記LTFパラメータは、前記第１の装置により前記LTFシーケンスを生成するために必要な周波数ドメイン変換パラメータ及び時間ドメイン変換パラメータを含む、取得ユニット、を備え、
前記事前構成されたマッピング関係テーブルは、
多重化空間ストリームの数Nssと、前記APのタイプと、前記Nssと前記APのタイプとに対応するパラメータ、及び、
多重化空間ストリームの数Nssと、前記APが配置された環境のタイプと、前記Nssと前記APが配置された前記環境のタイプとに対応するパラメータ、及び、
多重化空間ストリームの数Nssと、前記Nssに対応するパラメータ、及び、
多重化空間ストリームの数Nssと、変調符号化方式（MCS）特性情報と、前記Nss及び前記MCS特性情報に対応するパラメータ、
のうち１つ以上を含む、
伝送装置。
【請求項６】
前記取得ユニットは更に、前記処理ユニットが前記LTFシーケンスに従って前記LTF基本シーケンスを決定する前に、割り当てられるサブキャリアの開始位置Iを取得するように構成され、
前記処理ユニットは、
前記取得ユニットによって取得される前記時間ドメイン変換パラメータに従って、前記LTFシーケンスに対して時間ドメイン逆変換を実行して、LTFシンボルを得るように構成される時間ドメイン逆変換サブユニットと、
前記取得ユニットによって取得された前記周波数ドメイン変換パラメータ及び前記開始位置Iに従って、前記時間ドメイン逆変換サブユニットによって得られた前記LTFシンボルに対して周波数ドメイン逆変換を実行して、前記LTF基本シーケンスを得るように構成される周波数ドメイン逆変換サブユニットと、
を有する、請求項５に記載の伝送装置。
【請求項７】
前記時間ドメイン変換パラメータは、前記LTFシーケンスに含まれる前記LTFシンボルの数Nを含み、
前記時間ドメイン逆変換サブユニットは、Nに従って、前記LTFシーケンスに対して逆拡散処理を実行して、前記LTFシンボルを得るように構成される、
請求項６に記載の伝送装置。
【請求項８】
前記周波数ドメイン変換パラメータは、空間ストリームを区別するためのサブキャリア数Mと、前記LTF基本シーケンスのエレメントの数Lと、サブキャリア数Sとを含み、
前記周波数ドメイン逆変換サブユニットは、
前記LTFシンボルに従ってLTF基本シンボルを決定するように構成される決定モジュールであって、前記LTFシンボルは前記LTF基本シンボル及びサイクリックプレフィックス（CP）を含む、決定モジュールと、
前記決定モジュールによって得られた前記LTF基本シンボルに対してSポイント高速フーリエ変換（ＦＦＴ変換）を実行して、周波数ドメインLTFシーケンスを得るように構成される変換モジュールと、
前記開始位置Iから開始して、
【数３５】
0006454779.tif 000056
個のサブキャリアの間隔で、前記変換モジュールによって得られた前記周波数ドメインLTFシーケンスに従って前記LTF基本シーケンスを抽出するように構成される抽出モジュールであって、
【数３６】
0006454779.tif 000057
は切捨てを示す、抽出モジュールと、
を有する、請求項６又は７に記載の伝送装置。
【請求項９】
多入力多出力（MIMO）技術を用いる無線ローカルエリアネットワークシステムに適用される、データフレームを伝送する方法であって、
第１の装置が、ロング・トレーニング・フィールド（LTF）パラメータを取得し、割り当てられるサブキャリアの開始位置Iを取得するステップであって、前記LTFパラメータは、LTFシーケンスを生成するために必要な周波数ドメイン変換パラメータ及び時間ドメイン変換パラメータを含む、ステップと、
前記周波数ドメイン変換パラメータ及び前記開始位置Iに従って、LTF基本シーケンスに対して周波数ドメイン変換を実行して、LTFシンボルを得るステップと、
前記時間ドメイン変換パラメータに従って、前記LTFシンボルに対して時間ドメイン変換を実行して、前記LTFシーケンスを得るステップと、
前記LTFシーケンスを第１のデータフレームに追加し、前記第１のデータフレームを第２の装置に送信するステップであって、それにより、前記第２の装置は前記LTFシーケンスに従って前記LTF基本シーケンスを決定し、前記LTF基本シーケンスに従ってチャネル推定を実行する、ステップと、
を含み、
前記第１の装置はステーションSTAであり、前記第２の装置はアクセスポイントAPであり、
前記LTFパラメータを取得するステップは、
前記第２の装置によって送信される、指示情報を搬送する第２のデータフレームを受信するステップであって、前記指示情報は前記LTFパラメータを示すのに用いられる、ステップと、
取得された前記指示情報と、事前構成されたマッピング関係テーブルとに従って、前記LTFパラメータを取得するステップと、
を含み、
前記事前構成されたマッピング関係テーブルは、
多重化空間ストリームの数Nssと、前記APのタイプと、前記Nssと前記APのタイプとに対応するパラメータ、及び、
多重化空間ストリームの数Nssと、前記APが配置された環境のタイプと、前記Nssと前記APが配置された前記環境のタイプとに対応するパラメータ、及び、
多重化空間ストリームの数Nssと、前記Nssに対応するパラメータ、及び、
多重化空間ストリームの数Nssと、変調符号化方式（MCS）特性情報と、前記Nss及び前記MCS特性情報に対応するパラメータ、
のうち１つ以上を含む、
方法。
【請求項１０】
前記周波数ドメイン変換パラメータは、空間ストリームを区別するためのサブキャリア数Mと、前記LTF基本シーケンスのエレメントの数Lと、サブキャリア数Sとを含み、
前記周波数ドメイン変換パラメータ及び前記開始位置Iに従って、LTF基本シーケンスに対して周波数ドメイン変換を実行して、LTFシンボルを得る前記ステップは、
前記開始位置Iから開始して、
【数３７】
0006454779.tif 000058
個のサブキャリアの間隔で、前記LTF基本シーケンス内の各エレメントを対応するサブキャリアにマッピングして、周波数ドメインLTFシーケンスを得るステップであって、
【数３８】
0006454779.tif 000059
は切捨てを示す、ステップと、
前記周波数ドメインLTFシーケンスに対してSポイント逆高速フーリエ変換（IFFT変換）を実行して、LTF基本シンボルを得るステップと、
前記LTF基本シンボルをサイクリックプレフィックス（CP）と組み合わせて、前記LTFシンボルを生成するステップと、
を含む、請求項９に記載の方法。
【請求項１１】
前記周波数ドメイン変換パラメータは、空間ストリームを区別するためのサブキャリア数Mと、前記LTF基本シーケンスのエレメントの数Lと、サブキャリア数Sとを含み、
前記周波数ドメイン変換パラメータ及び前記開始位置Iに従って、LTF基本シーケンスに対して周波数ドメイン変換を実行して、LTFシンボルを得る前記ステップは、
Mに従って、前記LTF基本シーケンス内の各エレメントに対してスペクトラム拡散処理を実行して、LTFスペクトラム拡散シーケンスを得るステップであって、前記LTFスペクトラム拡散シーケンスはM＊L個のエレメントを含む、ステップと、
前記開始位置Iから開始して、前記LTFスペクトラム拡散シーケンスの各エレメントを対応するサブキャリアにマッピングして、周波数ドメインLTFシーケンスを得るステップと、
前記周波数ドメインLTFシーケンスに対してSポイントIFFT変換を実行して、LTF基本シンボルを得るステップと、
前記LTF基本シンボルをCPと組み合わせて、前記LTFシンボルを生成するステップと、
を含む、請求項９に記載の方法。
【請求項１２】
前記時間ドメイン変換パラメータは、前記LTFシーケンスに含まれる前記LTFシンボルの数Nを含み、
前記時間ドメイン変換パラメータに従って、前記LTFシンボルに対して時間ドメイン変換を実行して、前記LTFシーケンスを得る前記ステップは、
Nに従って、前記LTFシンボルに対してスペクトラム拡散処理を実行して、前記LTFシーケンスを生成するステップ、
を含む、請求項９乃至１１のいずれか一項に記載の方法。
【請求項１３】
多入力多出力（MIMO）技術を用いる無線ローカルエリアネットワークシステムに適用される、データフレームを伝送する方法であって、
第２の装置が、第１の装置によって送信される、ロング・トレーニング・フィールド（LTF）シーケンスを搬送する第１のデータフレームを受信するステップと、
前記LTFシーケンスに従ってLTF基本シーケンスを決定し、前記LTF基本シーケンスに従ってチャネル推定を実行するステップと、
を含み、更に、
前記第２の装置はアクセスポイントAPであり、前記第１の装置はステーションSTAであり、
前記第１の装置によって送信される、前記LTFシーケンスを搬送する前記第１のデータフレームを受信する前に、事前構成されたマッピング関係テーブルに従って、LTFパラメータを取得するステップであって、前記LTFパラメータは、前記第１の装置により前記LTFシーケンスを生成するために必要な周波数ドメイン変換パラメータ及び時間ドメイン変換パラメータを含む、ステップ、
を含み、
前記事前構成されたマッピング関係テーブルは、
多重化空間ストリームの数Nssと、前記APのタイプと、前記Nssと前記APのタイプとに対応するパラメータ、及び、
多重化空間ストリームの数Nssと、前記APが配置された環境のタイプと、前記Nssと前記APが配置された前記環境のタイプとに対応するパラメータ、及び、
多重化空間ストリームの数Nssと、前記Nssに対応するパラメータ、及び、
多重化空間ストリームの数Nssと、変調符号化方式（MCS）特性情報と、前記Nss及び前記MCS特性情報に対応するパラメータ、
のうち１つ以上を含む、
方法。
【請求項１４】
前記LTFシーケンスに従ってLTF基本シーケンスを決定する前記ステップの前に、前記方法は更に、
割り当てられるサブキャリアの開始位置Iを取得するステップ、
を含み、
前記LTFシーケンスに従ってLTF基本シーケンスを決定する前記ステップは、
前記時間ドメイン変換パラメータに従って、前記LTFシーケンスに対して時間ドメイン逆変換を実行して、LTFシンボルを得るステップと、
前記周波数ドメイン変換パラメータ及び前記開始位置Iに従って、前記LTFシンボルに対して周波数ドメイン逆変換を実行して、前記LTF基本シーケンスを得るステップと、
を含む、請求項１３に記載の方法。
【請求項１５】
前記時間ドメイン変換パラメータは、前記LTFシーケンスに含まれる前記LTFシンボルの数Nを含み、
前記時間ドメイン変換パラメータに従って、前記LTFシーケンスに対して時間ドメイン逆変換を実行して、LTFシンボルを得る前記ステップは、
Nに従って、前記LTFシーケンスに対して逆拡散処理を実行して、前記LTFシンボルを得るステップ、
を含む、請求項１４に記載の方法。
【請求項１６】
前記周波数ドメイン変換パラメータは、空間ストリームを区別するためのサブキャリア数Mと、前記LTF基本シーケンスのエレメントの数Lと、サブキャリア数Ｓとを含み、
前記周波数ドメイン変換パラメータ及び前記開始位置Iに従って、前記LTFシンボルに対して周波数ドメイン逆変換を実行して、前記LTF基本シーケンスを得る前記ステップは、
前記LTFシンボルに従ってLTF基本シンボルを決定するステップであって、前記LTFシンボルは前記LTF基本シンボル及びサイクリックプレフィックス（CP）を含む、ステップと、
前記LTF基本シンボルに対してＳポイント高速フーリエ変換（ＦＦＴ変換）を実行して、周波数ドメインLTFシーケンスを得るステップと、
前記開始位置Iから開始して、
【数３９】
0006454779.tif 000060
個のサブキャリアの間隔で、前記周波数ドメインLTFシーケンスに従って前記LTF基本シーケンスを抽出するステップであって、
【数４０】
0006454779.tif 000061
は切捨てを示す、ステップと、
を含む、請求項１４又は１５に記載の方法。
【発明の詳細な説明】
【技術分野】
【０００１】
本発明は通信分野に関し、特に、データフレームを伝送するための伝送装置及び方法に関する。
【背景技術】
【０００２】
インテリジェント端末が広範囲に適用されるにつれて、データネットワークトラフィックに対する要求がますます高まっている。データネットワークトラフィックに対する人々の要求を満たすためには、ネットワークシステムの性能を絶えず向上させる必要がある。したがって、無線ローカルエリアネットワークは、この側面では、最初の802.11a/bから802.11g及び802.11nへ、更に802.11acへと大きく進化している。規格の継続的な進化により、システムによって提供され得るスループットが増加し続けるので、インターネットアクセスについての人々の様々な要件が満たされる。
【０００３】
802.11acシステムでは、時間ドメイン符号分割多重（CDM）モードでの生成を介して、802.11acプレゼンテーション・プロトコル・データ・ユニット（PPDU）構造に含まれる非常に高いスループット−ロング・トレーニング・フィールド（VHT-LTF）が得られる。VHT-LTFは、単一ユーザの多入力多出力（SU-MIMO）シナリオにおいて複数のストリームを区別するためのチャネル推定を実施するために用いることができ、或いは、マルチユーザの多入力多出力（MU-MIMO）シナリオにおいて複数のユーザを区別するためのチャネル推定を実施するために用いることができる。
【０００４】
従来技術の802.11ac規格は、屋内環境用に設計又は取得されている。屋内環境と比較して、屋外環境はマルチパス効果が長いので、直交周波数分割多重（OFDM）シンボル間の干渉を避けるために、サイクリックプレフィックス（CP）長さを長くする必要がある。VHT-LTFが依然として時間ドメインCDMモードで生成される場合、VHT-LTFに含まれる複数のVHT-LTFシンボルによって必要とされる複数のCPは、シグナリングオーバヘッドの増加とデータフィールドの受信の遅延を引き起こしてしまう。
【発明の概要】
【０００５】
本発明は、シグナリングオーバヘッドを減らし、データフィールドの受信遅延を低減するために、データフレームを伝送するための伝送装置及び方法を提供する。
【０００６】
前述の目的を達成するために、本発明は、以下の技術的解決策を採用する。
【０００７】
本発明の第１の態様によれば、伝送装置が提供され、多入力多出力（MIMO）技術を用いる無線ローカルエリアネットワークシステムに適用される。本伝送装置は、
ロング・トレーニング・フィールド（LTF）パラメータを取得し、割り当てられるサブキャリアの開始位置Iを取得するように構成される取得ユニットであって、LTFパラメータは、LTFシーケンスを生成するために必要な周波数ドメイン変換パラメータ及び時間ドメイン変換パラメータを含む、取得ユニットと、
取得ユニットによって取得された周波数ドメイン変換パラメータ及び開始位置Iに従って、LTF基本シーケンスに対して周波数ドメイン変換を実行して、LTFシンボルを取得するように構成される周波数ドメイン変換ユニットと、
取得ユニットによって取得された時間ドメイン変換パラメータに従って、周波数ドメイン変換ユニットによって取得されたLTFシンボルに対して時間ドメイン変換を実行して、LTFシーケンスを取得するように構成される時間ドメイン変換ユニットと、
時間ドメイン変換ユニットによって取得されたLTFシーケンスを第１のデータフレームに追加し、第１のデータフレームを第２の装置に送信するように構成される送信ユニットであって、それにより、第２の装置はLTFシーケンスに従ってLTF基本シーケンスを決定し、LTF基本シーケンスに従ってチャネル推定を実行する、送信ユニットと、
を備える。
【０００８】
本発明の第２の態様によれば、多入力多出力（MIMO）技術を用いる無線ローカルエリアネットワークシステムに適用される伝送装置が提供される。本伝送装置は、
第１の装置によって送信される、ロング・トレーニング・フィールド（LTF）シーケンスを搬送する第１のデータフレームを受信するように構成される受信ユニットと、
受信ユニットによって受信されたLTFシーケンスに従って、LTF基本シーケンスを決定し、LTF基本シーケンスに従ってチャネル推定を実行するように構成される処理ユニットと、
を備える。
【０００９】
本発明の第３の態様によれば、データフレームを伝送する方法が提供され、多入力多出力（MIMO）技術を用いる無線ローカルエリアネットワークシステムに適用される。本方法は、
第１の装置が、ロング・トレーニング・フィールド（LTF）パラメータを取得し、割り当てられるサブキャリアの開始位置Iを取得するステップであって、LTFパラメータは、LTFシーケンスを生成するために必要な周波数ドメイン変換パラメータ及び時間ドメイン変換パラメータを含む、ステップと、
周波数ドメイン変換パラメータ及び開始位置Iに従って、LTF基本シーケンスに対して周波数ドメイン変換を実行して、LTFシンボルを得るステップと、
時間ドメイン変換パラメータに従って、LTFシンボルに対して時間ドメイン変換を実行して、LTFシーケンスを得るステップと、
LTFシーケンスを第１のデータフレームに追加し、第１のデータフレームを第２の装置に送信するステップであって、それにより、第２の装置はLTFシーケンスに従ってLTF基本シーケンスを決定し、LTF基本シーケンスに従ってチャネル推定を実行する、ステップと、
を含む。
【００１０】
本発明の第４の態様によれば、データフレームを伝送する方法が提供され、多入力多出力（MIMO）技術を用いる無線ローカルエリアネットワークシステムに適用される。本方法は、
第２の装置が、第１の装置によって送信される、ロング・トレーニング・フィールド（LTF）シーケンスを搬送する第１のデータフレームを受信するステップと、
LTFシーケンスに従ってLTF基本シーケンスを決定し、LTF基本シーケンスに従ってチャネル推定を実行するステップと、
を含む。
【００１１】
本発明の第５の態様によれば、伝送装置が提供され、多入力多出力（MIMO）技術を用いる無線ローカルエリアネットワークシステムに適用される。本伝送装置は、
ロング・トレーニング・フィールド（LTF）パラメータを取得し、割り当てられるサブキャリアの開始位置Iを取得するように構成され、LTFパラメータは、LTFシーケンスを生成するために必要な周波数ドメイン変換パラメータ及び時間ドメイン変換パラメータを含み、且つ、周波数ドメイン変換パラメータ及び開始位置Iに従って、LTF基本シーケンスに対して周波数ドメイン変換を実行して、LTFシンボルを得るように構成され、時間ドメイン変換パラメータに従って、LTFシンボルに対して時間ドメイン変換を実行して、LTFシーケンスを得るように構成されるプロセッサと、
プロセッサによって得られたLTFシーケンスを第１のデータフレームに追加し、第１のデータフレームを第２の装置に送信するように構成される送信器であって、それにより第２の装置は、LTFシーケンスに従ってLTF基本シーケンスを決定し、LTF基本シーケンスに従ってチャネル推定を実行する、送信器と、
を備える。
【００１２】
本発明の第６の態様によれば、伝送装置が提供され、多入力多出力（MIMO）技術を用いる無線ローカルエリアネットワークシステムに適用される。本伝送装置は、
第１の装置によって送信される、ロング・トレーニング・フィールド（LTF）シーケンスを搬送する第１のデータフレームを受信するように構成される受信器と、
受信器によって受信されたLTFシーケンスに従ってLTF基本シーケンスを決定し、LTF基本シーケンスに従ってチャネル推定を実行するように構成されるプロセッサと、
を備える。
【００１３】
本発明に係るデータフレームを伝送するための伝送装置及び方法によれば、第１の装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得て、LTFパラメータに含まれる時間ドメイン変換パラメータに従って、LTFシンボルに対して時間ドメイン変換を実行して、LTFシーケンスを得て、そして得られたLTFシーケンスを第１のデータフレームに追加し、第１のデータフレームを第２の装置に送信する。それにより、第２の装置はLTFシーケンスに従ってLTF基本シーケンスを決定し、LTF基本シーケンスに従ってチャネル推定を実行する。第１の装置がLTFシーケンスを生成するプロセスでは、空間ストリームは周波数ドメインと時間ドメインで区別され、それにより、LTFシーケンスに含まれるLTFシンボルの数が減少する。したがって、シグナリングオーバヘッドが減少し、データフィールドの受信遅延が低減される。
【図面の簡単な説明】
【００１４】
本発明の実施形態又は従来技術の技術的解決策をより明確に説明するために、以下、実施形態又は従来技術を説明するために必要な添付図面を簡単に説明する。当然ながら、添付図面は以下の説明において、本発明のいくつかの実施形態を示すに過ぎない。当業者であれば、創意工夫なくにこれらの添付図面から他の図面を更に得ることができるであろう。
【図１】従来技術に係るPPDUの概略構造図である。
【図２】本発明の実施形態に係るPPDUの概略構造図である。
【図３】本発明の実施形態に係る伝送装置の概略構造図である。
【図４】本発明の実施形態に係る別の伝送装置の概略構造図である。
【図５】本発明の別の実施形態に係る伝送装置の概略構造図である。
【図６】本発明の別の実施形態に係る別の伝送装置の概略構造図である。
【図７】本発明の別の実施形態に係る更に別の伝送装置の概略構造図である。
【図８】本発明の別の実施形態に係る、データフレームを伝送する方法の概略フローチャートである。
【図９】本発明の別の実施形態に係る、データフレームを伝送する方法の概略フローチャートである。
【図１０】本発明の別の実施形態に係る、データフレームを伝送する方法の概略フローチャートである。
【図１１】本発明の別の実施形態に係る周波数ドメインLTFシーケンスの概略図である。
【図１２】本発明の別の実施形態に係る別の周波数ドメインLTFシーケンスの概略図である。
【図１３】本発明の別の実施形態に係る、データフレームを伝送する別の方法の概略フローチャートである。
【図１４】本発明の別の実施形態に係る、データフレームを伝送する更に別の方法の概略フローチャートである。
【図１５】本発明の別の実施形態に係る伝送装置の概略構造図である。
【図１６】本発明の別の実施形態に係る伝送装置の概略構造図である。
【図１７ａ】本発明の実施形態に係る、ダウンリンク信号を伝送するためのシステムの概略構造図である。
【図１７ｂ】本発明の実施形態に係る、アップリンク信号を伝送するためのシステムの概略構造図である。
【図１８ａ】本発明の実施形態に係るLTF送信モジュールの具体的な概略構造図である。
【図１８ｂ】本発明の実施形態に係る、別のLTF送信モジュールの具体的な概略構造図である。
【図１９ａ】本発明の実施形態に係る、LTF受信モジュールの具体的な概略構造図である。
【図１９ｂ】本発明の実施形態に係る、別のLTF受信モジュールの具体的な概略構造図である。
【発明を実施するための形態】
【００１５】
以下、本発明の実施形態における技術的解決策を、本発明の実施形態における添付図面を参照しながら、明確且つ完全に説明する。当然ながら、記載される実施形態は、本発明の実施形態の一部に過ぎず全部ではない。当業者が創意工夫なく本発明の実施形態に基づいて得た他の実施形態は、全て本発明の保護範囲に包含されるものとする。
【００１６】
802.11acシステムにおいて、802.11ac  PPDUの構造が図１に示されている。PPDUは、レガシー・ショート・トレーニング・フィールド（Legacy-Short  Training  Field，L-STF）、レガシー・ロング・トレーニング・フィールド（Legacy-Long  Training  Field，L-LTF）、レガシー・シグナル・フィールド（Legacy  Signal，L-SIG）、超高スループット・シグナル・フィールドＡ（Very  High  Throughput-Signal-A，VHT-SIG-A）、超高スループット・ショート・トレーニング・フィールド（Very  High  Throughput-Short Training  Field，VHT-STF）、超高スループット・シグナル・フィールドB（(Very  High  Throughput-Signal-B，VHT-SIG-B）及びデータフィールド（Data）を含む。VHT-LTFは、SU-MIMOシナリオの複数ストリーム又はMU-MIMOシナリオの複数ユーザを区別するためのチャネル推定を実施するために用いられる。SU-MIMOシナリオの複数ストリーム又はMU-MIMOシナリオの複数ユーザを区別するために、従来技術では、VHT-LTFはいくつかのVHT-LTFシンボルを含む必要がある。いくつかのVHT-LTFシンボルは、時間ドメインCDMモードで時間ドメイン変換を実行することによって得られ、具体的には、時間ドメインにおけるVHT-LTFのVHT-LTFシンボルに、P行列（P-行列）の異なる行の列を乗算することによって得られる。VHT-LTFにおけるVHT-LTFシンボルの数Nは、Nssに従って決定することができる。NとNssとの対応関係を表１に示すことができる。表１では、Nssは、SU-MIMOシナリオのストリームの数又はMU-MIMOシナリオのユーザの数である。
【表１】
0006454779.tif 000002
【００１７】
NssがSU-MIMOシナリオのストリームの数であると仮定すると、例えばNssが８に等しいとき、Nの値は８である。すなわち、SU-MIMOシナリオのストリームの数Nssが８であるとき、該シナリオにおいて８個のデータストリームを区別するために、VHT-LTFは、VHT-LTFが時間ドメインCDMモードで生成されるときに８個のVHT-LTFシンボルを含む必要がある。具体的には、VHT-LTFを含むPPDUは図２に示すことができる。
【００１８】
VHT-LTFに含まれるVHT-LTFシンボルは、シンボル及びCPを含み、従来技術の802.11ac規格は屋内環境用に設計又は取得されている。CPの長さは一般に０．８μｓである。しかしながら、屋内環境と比較して、屋外環境はマルチパス効果が長いので、長いマルチパス効果を克服するためには長いCPを用いる必要がある。例えば、３．２μSの長さを有するCPを用いることができる。長いCPが用いられると、従来技術の時間ドメインCDMモードでVHT-LTFが依然として生成される場合、付加されたN個の長いCPのせいでVHT-LTFが長くなり、結果としてシグナリングオーバヘッドと、データフィールドの受信遅延が増大してしまう。
【００１９】
本発明の実施形態では、シグナリングオーバヘッドを低減し、データフィールドの受信遅延を低減するために、周波数ドメイン変換モードと時間ドメイン変換モードを用いて、多入力多出力（Multiple  Input  Multiple  Output，MIMO）シナリオの複数の空間ストリームを区別するためのチャネル推定のためのロング・トレーニング・フィールド（Long  Training  Field，LTF）シーケンスを生成する。複数の空間ストリームは、SU-MIMOシナリオにおけるユーザの複数のデータストリーム及び／又はMU-MIMOシナリオにおける複数ユーザのデータストリームである。
【００２０】
当業者による理解を容易にするために、本発明によって提供される技術的解決策の具体的な実施プロセスについて、本発明によって提供される以下の実施形態を参照することができる。
【００２１】
本発明の実施形態は伝送装置を提供し、これは多入力多出力（MIMO）技術を用いる無線ローカルエリアネットワークシステムに適用される。図３に示されるように、伝送装置は、取得ユニット１１、周波数ドメイン変換ユニット１２、時間ドメイン変換ユニット１３及び送信ユニット１４を備える。
【００２２】
取得ユニット１１は、ロング・トレーニング・フィールド（LTF）パラメータを取得し、割り当てられるサブキャリアの開始位置Iを取得するように構成される。LTFパラメータは、LTFシーケンスを生成するために必要な周波数ドメイン変換パラメータ及び時間ドメイン変換パラメータを含む。
【００２３】
周波数ドメイン変換ユニット１２は、取得ユニット１１によって取得された周波数ドメイン変換パラメータ及び開始位置Iに従って、LTF基本シーケンスに周波数ドメイン変換を実行して、LTFシンボルを得るように構成される。
【００２４】
時間ドメイン変換ユニット１３は、取得ユニット１１によって取得された時間ドメイン変換パラメータに従って、周波数ドメイン変換ユニット１２によって取得されたLTFシンボルに対して時間ドメイン変換を実行して、LTFシーケンスを得るように構成される。
【００２５】
送信ユニット１４は、時間ドメイン変換ユニット１３によって取得されたLTFシーケンスを第１のデータフレームを追加して、第１のデータフレームを第２の装置に送信するように構成される。それにより、第２の装置は、LTFシーケンスに従ってLTF基本シーケンスを決定し、LTF基本シーケンスに従ってチャネル推定を実行する。
【００２６】
本発明の実施形態では、更に任意に、周波数ドメイン変換パラメータは、空間ストリームを区別するためのサブキャリア数Mと、LTF基本シーケンスのエレメントの数Lと、サブキャリア数Sとを含む。
【００２７】
図４に示されるように、周波数ドメイン変換ユニット１２は、マッピングモジュール１２１、逆変換モジュール１２２及び生成モジュール１２３を備える。
【００２８】
マッピングモジュール１２１は、開始位置Iから開始して、
【数１】
0006454779.tif 000003
個のサブキャリアの間隔で、LTF基本シーケンス内の各エレメントを対応するサブキャリアにマッピングして、周波数ドメインLTFシーケンスを得るように構成される。ここで、
【数２】
0006454779.tif 000004
は切捨てを示す。
【００２９】
逆変換モジュール１２２は、マッピングモジュール１２１によって取得された周波数ドメインLTFシーケンスに対してSポイント逆高速フーリエ変換（IFFT変換）を実行して、LTF基本シンボルを得るように構成される。
【００３０】
生成モジュール１２３は、逆変換モジュール１２２によって取得されたLTF基本シンボルにサイクリックプレフィックス（CP）を組み合わせて、LTFシンボルを生成するように構成される。
【００３１】
本発明の実施形態では、更に任意に、周波数ドメイン変換パラメータは、空間ストリームを区別するためのサブキャリア数Mと、LTF基本シーケンスのエレメントの数Lと、サブキャリア数Sとを含む。
【００３２】
周波数ドメイン変換ユニット１２は、マッピングモジュール１２１、逆変換モジュール１２２、生成モジュール１２３及びスペクトラム拡散モジュール１２４を有する。
【００３３】
スペクトラム拡散モジュール１２４は、Mに従って、LTF基本シーケンス内の各エレメントに対してスペクトラム拡散処理を実行して、LTFスペクトラム拡散シーケンスを得るように構成される。LTFスペクトラム拡散シーケンスはM＊L個のエレメントを含む。
【００３４】
マッピングモジュール１２１は、開始位置Iから開始して、スペクトラム拡散モジュール１２４によって得られたLTFスペクトラム拡散シーケンス内の各エレメントを対応するサブキャリアにマッピングして、周波数ドメインLTFシーケンスを得るように構成される。
【００３５】
逆変換モジュール１２２は、マッピングモジュール１２１によって取得された周波数ドメインLTFシーケンスに対してSポイントIFFT変換を実行して、LTF基本シンボルを得るように構成される。
【００３６】
生成モジュール１２３は、逆変換モジュール１２２によって取得されたLTF基本シンボルをCPと組み合わせて、LTFシンボルを生成するように構成される。
【００３７】
本発明の実施形態では、更に任意に、時間ドメイン変換パラメータは、LTFシーケンスに含まれるLTFシンボルの数Nを含む。
【００３８】
時間ドメイン変換ユニット１３は、具体的には、Nに従って、LTFシンボルにスペクトラム拡散処理を実行してLTFシーケンスを生成するように構成される。
【００３９】
本発明の実施形態では、更に任意に、伝送装置がステーションSTAであり、且つ第２の装置がアクセスポイントAPである。
【００４０】
取得ユニット１１は、受信モジュール１１１及び取得モジュール１１２を有する。
【００４１】
受信モジュール１１１は、第２の装置によって送信される、指示情報を搬送する第２のデータフレームを受信するように構成される。指示情報はLTFパラメータを示すのに用いられる。
【００４２】
取得モジュール１１２は、受信モジュール１１１によって得られた指示情報と、事前構成されたマッピング関係テーブルとに従って、LTFパラメータを取得するように構成される。
【００４３】
本発明の実施形態では、更に任意に、マッピング関係テーブルは、多重化空間ストリームの数Nssと、APのタイプと、NssとAPのタイプとに対応するパラメータとを含む。
【００４４】
指示情報がNssを含み、且つ伝送装置がAPにアクセスするときにAPのタイプを取得した場合、取得モジュール１１２は、具体的には、NssとAPのタイプとに従って、NssとAPのタイプとに対応するパラメータをLTFパラメータとして用いるように構成される。
【００４５】
指示情報はNss及びサブキャリア数Sを含み、且つ伝送装置がAPにアクセスするときにAPのタイプを取得しなかった場合、取得モジュール１１２は、具体的には、Sに従ってAPのタイプを決定するように構成され、SとAPのタイプとの間には対応関係が存在し、且つ、NssとAPのタイプとに従って、NssとAPのタイプとに対応するパラメータをLTFパラメータとして用いるように構成される。
【００４６】
指示情報がNssを含み、且つ伝送装置がAPにアクセスするときにAPのタイプを取得しなかった場合、取得モジュール１１２は、具体的には、CPの長さに従ってSを決定し、Sに従ってAPのタイプを決定し、NssとAPのタイプとに従って、NssとAPのタイプとに対応するパラメータをLTFパラメータとして用いるように構成される。
【００４７】
本発明の実施形態では、更に任意に、マッピング関係テーブルは、多重化空間ストリームの数Nssと、APが配置された環境のタイプと、NssとAPが配置された環境のタイプとに対応するパラメータとを含む。指示情報はNssを含む。伝送装置は、APにアクセスするとき、APが配置された環境のタイプを取得している。
【００４８】
取得モジュール１１２は、具体的には、NssとAPが配置された環境のタイプとに従って、NssとAPが配置された環境のタイプとに対応するパラメータをLTFパラメータとして用いるように構成される。
【００４９】
本発明の実施形態では、更に任意に、マッピング関係テーブルは、多重化空間ストリームの数Nssと、Nssに対応するパラメータとを含む。
【００５０】
指示情報がNssを含む場合、取得モジュール１１２は、具体的には、Nssに従って、Nssに対応するパラメータがLTFパラメータであると決定するように構成される。
【００５１】
指示情報が、LTFシーケンスに含まれるLTFシンボルの数Nを含む場合、取得モジュール１１２は、具体的には、CPの長さに従ってサブキャリア数Sを決定し、N及びSに従ってNssを決定し、Nssに従って、Nssに対応するパラメータがLTFパラメータであると決定するように構成される。
【００５２】
本発明の実施形態では、更に任意に、マッピング関係テーブルは、多重化空間ストリームの数Nssと、変調符号化方式（MCS）特性情報と、Nss及びMCS特性情報に対応するパラメータとを含む。指示情報は、Nss及びMCS特性情報を含む。
【００５３】
取得モジュール１１２は、具体的には、Nss及びMCS特性情報に従って、Nss及びMCS特性情報に対応するパラメータをLTFパラメータとして用いるように構成される。
【００５４】
本発明の実施形態では、更に任意に、伝送装置はAPであり、第２の装置はSTAであり、又は、伝送装置がSTAであり、且つ第２の装置がAPである。
【００５５】
取得ユニット１１は、事前構成されたマッピング関係テーブルに従って、LTFパラメータを取得するように構成される取得モジュール１１２を有する。
【００５６】
送信ユニット１４は、具体的には、LTFシーケンス及び指示情報を第１のデータフレームに追加し、第１のデータフレームを第２の装置に送信するように構成される。それにより、第２の装置は、LTFシーケンス及び指示情報に従ってLTF基本シーケンスを決定する。
【００５７】
本発明の実施形態では、更に任意に、マッピング関係テーブルは、多重化空間ストリームの数Nssと、APのタイプと、NssとAPのタイプとに対応するパラメータとを含む。伝送装置がSTAである場合、伝送装置は、APにアクセスするときにAPのタイプを取得している。
【００５８】
取得モジュール１１２は、具体的には、NssとAPのタイプとに従って、NssとAPのタイプとに対応するパラメータをLTFパラメータとして用いるように構成される。
【００５９】
伝送装置がSTAであり、且つ第２の装置がAPである場合、指示情報はNssを含む。
【００６０】
伝送装置がAPであり、且つ第２の装置がSTAである場合、指示情報はNssを含み、又は、指示情報はNss及びサブキャリア数Sを含む。
【００６１】
本発明の実施形態では、更に任意に、マッピング関係テーブルは、多重化空間ストリームの数Nssと、APが配置された環境のタイプと、NssとAPが配置された環境のタイプとに対応するパラメータとを含む。伝送装置がSTAである場合、伝送装置は、APにアクセスするときにAPが配置された環境のタイプを取得している。
【００６２】
取得モジュール１１２は、具体的には、NssとAPが配置された環境のタイプとに従って、NssとAPが配置された環境のタイプとに対応するパラメータをLTFパラメータとして用いるように構成される。指示情報はNssを含む。
【００６３】
本発明の実施形態では、更に任意に、マッピング関係テーブルは、多重化空間ストリームの数Nssと、Nssに対応するパラメータとを含む。
【００６４】
取得モジュール１１２は、具体的には、Nssに従って、Nssに対応するパラメータがLTFパラメータであると決定するように構成される。
【００６５】
指示情報はNssを含む。又は、指示情報は、LTFシーケンスに含まれるLTFシンボルの数Nを含む。
【００６６】
本発明の実施形態では、更に任意に、マッピング関係テーブルは、多重化空間ストリームの数Nssと、MCS特性情報と、Nss及びMCS特性情報に対応するパラメータとを含む。
【００６７】
取得モジュール１１２は、具体的には、Nss及びMCS特性情報に従って、Nss及びMCS特性情報に対応するパラメータをLTFパラメータとして用いるように構成される。
【００６８】
指示情報は、Nss及びMCS特性情報を含む。
【００６９】
本発明の実施形態では、更に任意に、多重化空間ストリームの数は、マルチユーザ多重化のユーザ数及び／又は単一ユーザ多重化のデータストリーム数を含む。
【００７０】
留意すべきこととして、本発明の実施形態によって提供される伝送装置の各機能モジュールの具体的な作業プロセスについては、方法実施形態における対応するプロセスの詳細な説明を参照することができる。本発明の実施形態において、ここでは詳細な説明を省略する。
【００７１】
本発明の実施形態によって提供される伝送装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得て、LTFパラメータに含まれる時間ドメイン変換パラメータに従って、LTFシンボルに対して時間ドメイン変換を実行して、LTFシーケンスを得て、そして得られたLTFシーケンスを第１のデータフレームに追加し、第１のデータフレームを第２の装置に送信する。それにより、第２の装置は、LTFシーケンスに従ってLTF基本シーケンスを決定し、LTF基本シーケンスに従ってチャネル推定を実行する。伝送装置がLTFシーケンスを生成するプロセスでは、空間ストリームは周波数ドメインと時間ドメインで区別される。それにより、LTFシーケンスに含まれるLTFシンボルの数が減少する。したがって、シグナリングオーバヘッドが減少し、データフィールドの受信遅延が低減される。
【００７２】
本発明の別の実施形態は伝送装置を提供し、それは多入力多出力（MIMO）技術を用いる無線ローカルエリアネットワークシステムに適用される。図５に示されるように、伝送装置は、受信ユニット２１及び処理ユニット２２を備える。
【００７３】
受信ユニット２１は、第１の装置によって送信される、ロング・トレーニング・フィールド（LTF）シーケンスを搬送する第１のデータフレームを受信するように構成される。
【００７４】
処理ユニット２２は、受信ユニット２１によって受信されたLTFシーケンスに従って、LTF基本シーケンスを決定し、LTF基本シーケンスに従ってチャネル推定を実行するように構成される。
【００７５】
本発明の実施形態では、更に任意に、図６に示されるように、伝送装置は更に取得ユニット２３を備える。
【００７６】
取得ユニット23は、処理ユニット22がLTF基本シーケンスを決定する前に、LTFシーケンスに従って、LTFパラメータを取得し、割り当てられるサブキャリアの開始位置Iを取得するように構成される。LTFパラメータは、第１の装置によりLTFシーケンスを生成するために必要な周波数ドメイン変換パラメータ及び時間ドメイン変換パラメータを含む。
【００７７】
処理ユニット２２は、時間ドメイン逆変換サブユニット２２１及び周波数ドメイン逆変換サブユニット２２２を有する。
【００７８】
時間ドメイン逆変換サブユニット２２１は、取得ユニット２３によって取得された時間ドメイン変換パラメータに従って、LTFシーケンスに対して時間ドメイン逆変換を実行して、LTFシンボルを得るように構成される。
【００７９】
周波数ドメイン逆変換サブユニット２２２は、取得ユニット２３によって取得された周波数ドメイン変換パラメータ及び開始位置Iに従って、時間ドメイン逆変換サブユニット２２１によって得られたLTFシンボルに対して周波数ドメイン逆変換を実行して、LTF基本シーケンスを得るように構成される。
【００８０】
本発明の実施形態では、更に任意に、時間ドメイン変換パラメータは、LTFシーケンスに含まれるLTFシンボルの数Nを含む。
【００８１】
時間ドメイン逆変換サブユニット２２１は、具体的には、Nに従って、LTFシーケンスに対して逆拡散処理を実行して、LTFシンボルを得るように構成される。
【００８２】
本発明の実施形態では、更に任意に、周波数ドメイン変換パラメータは、空間ストリームを区別するためのサブキャリア数Mと、LTF基本シーケンスのエレメントの数Lと、サブキャリア数Sとを含む。
【００８３】
図７に示されるように、周波数ドメイン逆変換サブユニット２２２は、決定モジュール２２２１、変換モジュール２２２２及び抽出モジュール２２２３を有する。
【００８４】
決定モジュール２２２１は、LTFシンボルに従ってLTF基本シンボルを決定するように構成される。LTFシンボルはLTF基本シンボル及びサイクリックプレフィックス（CP）を含む。
【００８５】
変換モジュール２２２２は、決定モジュール２２２１によって得られたLTF基本シンボルに対してSポイント高速フーリエ変換（FFT変換）を実行して、周波数ドメインLTFシーケンスを得るように構成される。
【００８６】
抽出モジュール２２２３は、開始位置Iから開始して、
【数３】
0006454779.tif 000005
個のサブキャリアの間隔で、変換モジュール２２２２によって得られた周波数ドメインLTFシーケンスに従ってLTF基本シーケンスを抽出するように構成される。ここで、
【数４】
0006454779.tif 000006
は切捨てを示す。
【００８７】
本発明の実施形態では、更に任意に、周波数ドメイン変換パラメータは、空間ストリームを区別するためのサブキャリア数Mと、LTF基本シーケンスのエレメントの数Lと、サブキャリア数Sとを含む。
【００８８】
周波数ドメイン逆変換サブユニット２２２は、決定モジュール２２２１、変換モジュール２２２２、抽出モジュール２２２３及び逆拡散モジュール２２２４を有する。
【００８９】
決定モジュール２２２１は、LTFシンボルに従ってLTF基本シンボルを決定するように構成される。LTFシンボルは、LTF基本シンボル及びCPを含む。
【００９０】
変換モジュール２２２２は、決定モジュール２２２１によって得られたLTF基本シンボルに対してSポイントFFT変換を実行して、周波数ドメインLTFシーケンスを得るように構成される。
【００９１】
抽出モジュール２２２３は、開始位置Iから開始して、変換モジュール２２２２によって得られた周波数ドメインLTFシーケンスに従って、対応するサブキャリアからLTFスペクトラム拡散シーケンスを抽出するように構成される。LTFスペクトラム拡散シーケンスはM＊L個のエレメントを含む。
【００９２】
逆拡散モジュール２２２４は、Mに従って、抽出モジュール２２２３によって得られたLTFスペクトラム拡散シーケンスに対して逆拡散処理を実行して、LTF基本シーケンスを得るように構成される。
【００９３】
本発明の実施形態では、更に任意に、第１の装置がステーション（STA）であり、伝送装置がアクセスポイント（AP）である。
【００９４】
取得ユニット２３は更に、受信ユニット２１が第１の装置によって送信される、ロング・トレーニング・フィールド（LTF）シーケンスを搬送する第１のデータフレームを受信する前に、事前構成されたマッピング関係テーブルに従って、LTFパラメータを取得するように構成される。
【００９５】
伝送装置は更に送信ユニット２４を備える。
【００９６】
送信ユニット２４は、指示情報を搬送する第２のデータフレームを第１の装置に送信するように構成される。指示情報はLTFパラメータを示す。
【００９７】
本発明の実施形態では、更に任意に、マッピング関係テーブルは、多重化空間ストリームの数Nssと、APのタイプと、NssとAPのタイプとに対応するパラメータとを含む。
【００９８】
取得ユニット２３は、具体的には、NssとAPのタイプとに従って、NssとAPのタイプとに対応するパラメータをLTFパラメータとして用いるように構成される。
【００９９】
指示情報はNssを含む。又は、指示情報は、Nss及びサブキャリア数Sを含む。
【０１００】
本発明の実施形態では、更に任意に、マッピング関係テーブルは、多重化空間ストリームの数Nssと、APが配置された環境のタイプと、NssとAPが配置された環境のタイプとに対応するパラメータとを含む。
【０１０１】
取得ユニット２３は、具体的には、NssとAPが配置された環境のタイプとに従って、NssとAPが配置された環境のタイプとに対応するパラメータをLTFパラメータとして用いるように構成される。指示情報はNssを含む。
【０１０２】
本発明の実施形態では、更に任意に、マッピング関係テーブルは、多重化空間ストリームの数Nssと、Nssに対応するパラメータとを含む。
【０１０３】
取得ユニット２３は、具体的には、Nssに従って、Nssに対応するパラメータがLTFパラメータであると決定するように構成される。
【０１０４】
指示情報はNssを含む。又は、指示情報は、LTFシーケンスに含まれるLTFシンボルの数Nを含む。
【０１０５】
本発明の実施形態では、更に任意に、マッピング関係テーブルは、多重化空間ストリームの数Nssと、MCS特性情報と、Nss及びMCS特性情報に対応するパラメータとを含む。
【０１０６】
取得ユニット２３は、具体的には、Nss及びMCS特性情報に従って、Nss及びMCS特性情報に対応するパラメータをLTFパラメータとして用いるように構成される。
【０１０７】
指示情報は、Nss及びMCS特性情報を含む。
【０１０８】
本発明の実施形態では、更に任意に、第１の装置がAPであり、且つ伝送装置がSTAである。又は、第１の装置がSTAであり、且つ伝送装置がAPである。
【０１０９】
受信ユニット２１は、具体的には、第１の装置によって送信される、LTFシーケンス及び指示情報を搬送する第１のデータフレームを受信するように構成される。
【０１１０】
取得ユニット２３は、具体的には、受信ユニット２１によって受信された指示情報と、事前構成されたマッピング関係テーブルとに従って、LTFパラメータを取得するように構成される。
【０１１１】
本発明の実施形態では、更に任意に、マッピング関係テーブルは、多重化空間ストリームの数Nssと、APのタイプと、NssとAPのタイプとに対応するパラメータとを含む。
【０１１２】
第１の装置がSTAであり、且つ伝送装置がAPである場合、指示情報はNssを含む。取得ユニット２３は、具体的には、NssとAPのタイプとに従って、NssとAPのタイプとに対応するパラメータをLTFパラメータとして用いるように構成される。
【０１１３】
第１の装置がAPであり、且つ伝送装置がSTAである場合、
指示情報がNssを含み、且つ伝送装置がAPにアクセスするときにAPのタイプを取得した場合、取得ユニット２３は、具体的には、NssとAPのタイプとに従って、NssとAPのタイプとに対応するパラメータをLTFパラメータとして用いるように構成される。又は、
指示情報がNss及びサブキャリア数Sを含み、且つ伝送装置がAPにアクセスするときにAPのタイプを取得しなかった場合、取得ユニット２３は、具体的には、Sに従ってAPのタイプを決定するように構成され、SとAPのタイプとの間には対応関係が存在し、且つ、NssとAPのタイプとに従って、NssとAPのタイプとに対応するパラメータをLTFパラメータとして用いるように構成され、又は、
指示情報がNssを含み、且つ伝送装置がAPにアクセスするときにAPのタイプを取得しなかった場合、取得ユニット２３は、具体的には、CPの長さに従ってSを決定し、Sに従ってAPのタイプを決定するように構成され、NssとAPのタイプとに従って、NssとAPのタイプとに対応するパラメータをLTFパラメータとして用いるように構成される。
【０１１４】
本発明の実施形態では、更に任意に、マッピング関係テーブルは、多重化空間ストリームの数Nssと、APが配置された環境のタイプと、NssとAPが配置された環境のタイプとに対応するパラメータとを含む。指示情報はNssを含む。伝送装置がSTAである場合、伝送装置は、APにアクセスするときにAPが配置された環境のタイプを取得している。
【０１１５】
取得ユニット２３は、具体的には、NssとAPが配置された環境のタイプとに従って、NssとAPが配置された環境のタイプとに対応するパラメータをLTFパラメータとして用いるように構成される。
【０１１６】
本発明の実施形態では、更に任意に、マッピング関係テーブルは、多重化空間ストリームの数Nssと、Nssに対応するパラメータとを含む。
【０１１７】
指示情報がNssを含む場合、取得ユニット２３は、具体的には、Nssに従って、Nssに対応するパラメータをLTFパラメータとして用いるように構成される。
【０１１８】
指示情報が、LTFシーケンスに含まれるLTFシンボルの数Nを含む場合、取得ユニット２３は、具体的には、CPの長さに従ってサブキャリア数Sを決定し、N及びSに従ってNssを決定し、Nssに従って、Nssに対応するパラメータがLTFパラメータであると決定するように構成される。
【０１１９】
本発明の実施形態では、更に任意に、マッピング関係テーブルは、多重化空間ストリームの数Nssと、変調符号化方式（MCS）特性情報と、Nss及びMCS特性情報に対応するパラメータとを含む。指示情報は、Nss及びMCS特性情報を含む。
【０１２０】
取得ユニット２３は、具体的には、Nss及びMCS特性情報に従って、Nss及びMCS特性情報に対応するパラメータをLTFパラメータとして用いるように構成される。
【０１２１】
本発明の実施形態では、更に任意に、多重化空間ストリームの数は、マルチユーザ多重化のユーザ数及び／又は単一ユーザ多重化のデータストリーム数を含む。
【０１２２】
留意すべきこととして、本発明の実施形態によって提供される伝送装置の各機能モジュールの具体的な作業プロセスについては、方法実施形態における対応するプロセスの詳細な説明を参照することができる。本発明の実施形態において、ここでは詳細な説明を省略する。
【０１２３】
本発明の実施形態によって提供される伝送装置によれば、第１の装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得て、LTFパラメータに含まれる時間ドメイン変換パラメータに従って、LTFシンボルに対して時間ドメイン変換を実行して、LTFシーケンスを得て、そして得られたLTFシーケンスを第１のデータフレームに追加し、第１のデータフレームを伝送装置に送信する。それにより、伝送装置は、LTFシーケンスに従ってLTF基本シーケンスを決定し、LTF基本シーケンスに従ってチャネル推定を実行する。第１の装置がLTFシーケンスを生成するプロセスでは、空間ストリームは周波数ドメインと時間ドメインで区別される。それにより、LTFシーケンスに含まれるLTFシンボルの数が減少する。したがって、シグナリングオーバヘッドが減少し、データフィールドの受信遅延が低減される。
【０１２４】
本発明の実施形態は、データフレームを伝送する方法を提供する。本方法は、MIMO技術を用いる無線ローカルエリアネットワークシステムに適用される。図８に示されるように、本方法は以下のステップを含んでよい。
【０１２５】
Ｓ３０１．第１の装置がLTFパラメータを取得し、割り当てられるサブキャリアの開始位置Iを取得する。
【０１２６】
LTFパラメータは、LTFシーケンスを生成するために必要な周波数ドメイン変換パラメータ及び時間ドメイン変換パラメータを含む。
【０１２７】
留意すべきこととして、割り当てられたサブキャリアの開始位置Iを取得するプロセスは、第１の装置により割当てを通して取得することであってよく、或いは、第２の装置によって伝送されたシグナリングを受信することによって取得することであってよい。
【０１２８】
Ｓ３０２．第１の装置が、周波数ドメイン変換パラメータ及びIに従って、LTF基本シーケンスに対して周波数ドメイン変換を実行して、LTFシンボルを得る。
【０１２９】
第１の装置が、LTFシーケンスを生成するために必要となる周波数ドメイン変換パラメータ及び時間ドメイン変換パラメータを含むLTFパラメータと、割り当てられたサブキャリアの開始位置Iとを取得した後、第１の装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得てよい。
【０１３０】
Ｓ３０３．第１の装置が、時間ドメイン変換パラメータに従って、LTFシンボルに対して時間ドメイン変換を実行して、LTFシーケンスを得る。
【０１３１】
第１の装置が周波数ドメイン変換パラメータ及びIに従って、LTF基本シーケンスに対して周波数ドメイン変換を実行してLTFシンボルを得た後、第１の装置は、LTFパラメータに含まれる時間ドメイン変換パラメータに従って、LTFシンボルに対して時間ドメイン変換を実行して、LTFシーケンスを得てよい。
【０１３２】
Ｓ３０４．第１の装置が、LTFシーケンスを第１のデータフレームに追加し、第１のデータフレームを第２の装置に送信する。それにより、第２の装置は、LTFシーケンスに従ってLTF基本シーケンスを決定し、LTF基本シーケンスに従ってチャネル推定を実行する。
【０１３３】
第１の装置がLTFパラメータに含まれる時間ドメイン変換パラメータに従って、LTFシンボルに対して時間ドメイン変換を実行してLTFシーケンスを得た後、第１の装置は、得られたLTFシーケンスを第１のデータフレームに追加し、第１のデータフレームを第２の装置に送信してよい。それにより、第２の装置は、LTFシーケンスに従ってLTF基本シーケンスを決定し、決定されたLTF基本シーケンスに従ってチャネル推定を実行する。更に、第１の装置は更に、決定されたLTF基本シーケンスに従って、キャリア周波数オフセット（Carrier  Frequency  Offset，CFO）推定を実行してよい。
【０１３４】
留意すべきこととして、本発明の実施形態では、第１の装置はアクセスポイント（Access  Point，AP）であってよく、或いは、ステーション（Station，STA）であってよい。加えて、第１の装置がAPであるとき、第２の装置はSTAであり、又は、第１の装置がSTAであるとき、第２の装置はAPである。本発明の実施形態は、ここでは第１の装置及び第２の装置を具体的に限定しない。
【０１３５】
本発明の実施形態に係るデータフレームを伝送する方法によれば、第１の装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得て、LTFパラメータに含まれる時間ドメイン変換パラメータに従って、LTFシンボルに対して時間ドメイン変換を実行して、LTFシーケンスを得て、そして得られたLTFシーケンスを第１のデータフレームに追加し、第１のデータフレームを第２の装置に送信する。それにより、第２の装置はLTFシーケンスに従ってLTF基本シーケンスを決定し、LTF基本シーケンスに従ってチャネル推定を実行する。第１の装置がLTFシーケンスを生成するプロセスでは、空間ストリームは周波数ドメインと時間ドメインで区別される。よって、LTFシーケンスに含まれるLTFシンボルの数が減少する。したがって、シグナリングオーバヘッドが減少し、データフィールドの受信遅延が低減される。
【０１３６】
本発明の別の実施形態は、データフレームを伝送する方法を提供する。本方法は、MIMO技術を用いる無線ローカルエリアネットワークシステムに適用される。図９に示されるように、本方法は以下のステップを含んでよい。
【０１３７】
Ｓ４０１．第２の装置が、第１の装置によって送信された、LTFシーケンスを搬送する第１のデータフレームを受信する。
【０１３８】
Ｓ４０２．第２の装置が、LTFシーケンスに従ってLTF基本シーケンスを決定し、LTF基本シーケンスに従ってチャネル推定を実行する。
【０１３９】
第２の装置が、第１の装置によって送信された、LTFシーケンスを搬送する第１のデータフレームを受信した後、第２の装置は、第１のデータフレームで搬送されるLTFシーケンスに従ってLTF基本シーケンスを決定し、LTF基本シーケンスに従ってチャネル推定を実行してよく、更に、LTF基本シーケンスに従ってCFO推定を実行してよい。
【０１４０】
本発明の実施形態に係るデータフレームを伝送する方法によれば、第１の装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得て、LTFパラメータに含まれる時間ドメイン変換パラメータに従って、LTFシンボルに対して時間ドメイン変換を実行して、LTFシーケンスを得て、そして得られたLTFシーケンスを第１のデータフレームに追加し、第１のデータフレームを第２の装置に送信する。それにより、第２の装置はLTFシーケンスに従ってLTF基本シーケンスを決定し、LTF基本シーケンスに従ってチャネル推定を実行する。第１の装置がLTFシーケンスを生成するプロセスでは、空間ストリームは周波数ドメインと時間ドメインで区別される。よって、LTFシーケンスに含まれるLTFシンボルの数が減少する。したがって、シグナリングオーバヘッドが減少し、データフィールドの受信遅延が低減される。
【０１４１】
本発明の別の実施形態は、データフレームを伝送する方法を提供する。本方法は、MIMO技術を用いる無線ローカルエリアネットワークシステムに適用される。加えて、当業者による理解を容易にするために、本発明の実施形態では、異なる適用シナリオに従って、本発明の具体的な実施プロセスを詳細に説明し、具体的には以下の通りである。
【０１４２】
第１の適用シナリオでは、第１の装置がAPであり、第２の装置がSTAである例を説明に用いる。無線ローカルエリアネットワークに用いられるMIMO技術は、具体的にはMU-MIMO技術である。具体的な実施プロセスは、ダウンリンクデータを送信するプロセスに用いられる。本適用シナリオでは、APは、複数のSTAと同時に通信を行うことができる。空間ストリームは、APにより各ユーザ（STA）に送信されるデータストリームを示す。本適用シナリオにおけるデータフレームを伝送する方法は図１０に示され、具体的には、本方法は以下のステップを含んでよい。
【０１４３】
Ｓ５０１．APが、LTFパラメータを取得し、割り当てられるサブキャリアの開始位置Iを取得する。
【０１４４】
具体的には、APがLTFパラメータを取得することは、事前構成されたマッピング関係テーブルに従って、LTFパラメータを取得するステップであってよい。LTFパラメータは、LTFシーケンスを生成するために必要な周波数ドメイン変換パラメータ及び時間ドメイン変換パラメータを含んでよい。周波数ドメイン変換パラメータは、空間ストリームを区別するためのサブキャリア数Mと、LTF基本シーケンスのエレメントの数Lと、サブキャリア数Sとを含んでよい。時間ドメイン変換パラメータは、LTFシーケンスに含まれるLTFシンボルの数Nを含んでよい。
【０１４５】
割り当てられたサブキャリアの開始位置Iを取得するプロセスは、APにより割当てを介して取得することであってよい。具体的な取得プロセスは以下のとおりである。APが、実際の適用シナリオに従って、各空間ストリームにサブキャリアの開始位置Iを割り当てる。又は、APが、各空間ストリームのシーケンスに従って、空間ストリームのシーケンスと同じシーケンスのサブキャリアの開始位置Iを各空間ストリームに割り当てる。
【０１４６】
マッピング関係テーブルは、具体的には、以下の方式のうちいずれか１つの方式で形成されてよい。
【０１４７】
方式１：マッピング関係テーブルは、多重化空間ストリームの数Nssと、APのタイプと、NssとAPのタイプとに対応するパラメータとを含む。
【０１４８】
多重化空間ストリームの数Nssは、マルチユーザ多重化のユーザ数である。
【０１４９】
例えば、APのタイプは802.11ac又は802.11axであってよく、マッピング関係テーブルの形成方式は表２、表３又は表３ａに示すことができる。表２、表３又は表３ａに示されるマッピング関係テーブルにおいて、タイプ１はAPのタイプが802.11acであることを示し、タイプ２はAPのタイプが802.11axであることを示す。表２に示されるマッピング関係テーブルを例に挙げると、Nssが８でありAPのタイプがタイプ１であるとき、S＝６４、N＝８、M＝１、L＝５６が、NssとAPのタイプとに対応するパラメータである。表３に示されるマッピング関係テーブルを例に挙げると、Nssが８でありAPのタイプがタイプ２であるとき、S＝５１２（タイプ１のデータシンボルの長さの８倍に等しい）、N＝１、M＝８、L＝５６が、NssとAPのタイプとに対応するパラメータである。表３ａに示されるマッピング関係テーブルを例に挙げると、Nssが８でありAPのタイプがタイプ２であるとき、S＝１２８（タイプ１のデータシンボルの長さの２倍に等しい）、N＝４、M＝２、L＝５６が、NssとAPのタイプとに対応するパラメータである。
【０１５０】
タイプ１及びタイプ２の場合、AP（送信側）は、タイプ１とタイプ２のデータシンボルの長さが異なるので、全ユーザのデータストリームに対して同じLのLTF基本シーケンスを選択するが、STA（すなわち受信側）が、逆拡散されたLTF基本シーケンスに従ってチャネル推定を行うとき、異なる補間アルゴリズムも用いられる。タイプ１の場合、データシンボルの長さは６４−ＦＦＴ（６４−高速フーリエ変換）である。APが、各ユーザのデータストリームに対して選択されたLが５６に等しいLTF基本シーケンスに対して周波数ドメインマッピングを実行する場合、STAが逆拡散されたLTF基本シーケンスに従ってチャネル推定を行うとき、補間なしで全てのサブキャリアのチャネル推定を得ることができ、すなわち、データシンボルに必要なチャネル推定を補間なしで得ることができる。しかしながら、タイプ２の場合、データシンボルの長さは、タイプ１のデータシンボルの長さとは異なる。タイプ２のデータシンボルの長さが256-FFTであると仮定すると、APが、各ユーザのデータストリームに対して選択されたLが５６に等しいLTF基本シーケンスに対して周波数ドメインマッピングを実行する場合、STAが逆拡散されたLTF基本シーケンスに従ってチャネル推定を実行するとき、４の補間係数を用いるだけで全てのサブキャリアのチャネル推定を得ることができる。すなわち、データシンボルに必要なチャネル推定は、補間係数４を用いることによってのみ得ることができる。
【表２】
0006454779.tif 000007
【表３】
0006454779.tif 000008
【表３ａ】
0006454779.tif 000009
【０１５１】
方式２：マッピング関係テーブルは、多重化空間ストリームの数Nssと、APが配置された環境のタイプと、ユーザの数NssとAPが配置された環境のタイプとに対応するパラメータとを含む。
【０１５２】
例えば、全てのAPのタイプは802.11axであってよく、APが配置される環境のタイプは屋内又は屋外であってよい。マッピング関係テーブルの形成方式は、表４、表５、表５ａ又は表５ｂに示すことができる。表４、表５、表５ａ又は表５ｂに示されるマッピング関係テーブルの環境タイプ１は、APが配置された環境のタイプが屋内であることを示し、環境タイプ２は、APが配置された環境のタイプが屋外であることを示す。表４に示されるマッピング関係テーブルを例に挙げると、Nssが８でありAPが配置された環境のタイプがタイプ１であるとき、S＝２５６、N＝２、M＝４、L＝５６が、NssとAPが配置された環境のタイプとに対応するパラメータである。表５に示されるマッピング関係テーブルを例に挙げると、Nssが８でありAPが配置された環境のタイプがタイプ２であるとき、S＝５１２、N＝４、M＝２、L＝２２４が、NssとAPが配置された環境のタイプとに対応するパラメータである。表５ａに示されるマッピング関係テーブルを例に挙げると、Nssが８でありAPが配置された環境のタイプがタイプ２であるとき、S＝１２８、N＝８、M＝１、L＝１１６が、NssとAPが配置された環境のタイプとに対応するパラメータである。
【０１５３】
表４〜表５ａのマッピング関係テーブルの場合、APが配置される環境のタイプが異なるので、APによって選択されるLTF基本シーケンスの長さが異なる。したがって、STAが逆拡散されたLTF基本シーケンスに従ってチャネル推定を実行するとき、異なる補間アルゴリズムも用いられる。環境タイプ１では、屋内チャネルの周波数選択性が低いので、APは、各ユーザのデータストリームに対して短いLTF基本シーケンスを選択することができる。したがって、STAが逆拡散されたLTF基本シーケンスに従ってチャネル推定を実行するとき、大きな補間係数を用いるだけで全てのサブキャリアのチャネル推定を得ることができ、すなわち、大きな補間係数を用いるだけでデータシンボルに必要なチャネル推定を得ることができる。しかしながら、環境タイプ２では、屋外チャネルの周波数選択性が高いので、APは、各ユーザのデータストリームに対して短いLTF基本シーケンスを選択する必要がある。したがって、STAが逆拡散されたLTF基本シーケンスに従ってチャネル推定を実行するとき、小さな補間係数を用いて全てのサブキャリアのチャネル推定を得ることができ、すなわち、小さな補間係数を用いてデータシンボルに必要なチャネル推定を得ることができる。表４に示されるマッピング関係テーブルを例に挙げると、データシンボルの長さが256-FFTである場合、環境タイプ１では、APが、各ユーザのデータストリームに対して選択されたLが５６であるLTF基本シーケンスを、４つのサブキャリアの間隔で周波数ドメインサブキャリアにマッピングするとき、STAが逆拡散されたLTF基本シーケンスに従ってチャネル推定を行うとき、補間係数４を用いるだけで全てのサブキャリアのチャネル推定を得ることができる。すなわち、補間係数４を用いてデータシンボルに必要なチャネル推定を得ることができる。しかしながら、環境タイプ２では、APが、各ユーザのデータストリームに対して選択されたLが１１６であるLTF基本シーケンスを、２つのサブキャリアの間隔で周波数ドメインサブキャリアにマッピングするとき、STAが逆拡散されたLTF基本シーケンスに従ってチャネル推定を実行するとき、補間係数２を用いるだけで全てのサブキャリアのチャネル推定を得ることができる。すなわち、補間係数２を用いて、データシンボルに必要なチャネル推定を得ることができる。
【０１５４】
表５ｂに提供されたパラメータが環境タイプ１又は環境タイプ２であるかどうかに関わらず、APは、全てのユーザのデータストリームに対して同じ長さのLTF基本シーケンスを選択してよい。したがって、STAが逆拡散されたLTF基本シーケンスに従ってチャネル推定を実行するとき、同様のチャネル推定補間アルゴリズムを用いて、全てのサブキャリアのチャネル推定を得ることができる。すなわち、同様のチャネル推定補間アルゴリズムを用いて、データシンボルに必要なチャネル推定を得ることができる。表５ｂに示されるマッピング関係テーブルを例に挙げると、データシンボルの長さが256-FFTである場合、環境タイプ１では、APが、各ユーザのデータストリームに対して、LTFパラメータがS＝１２８（データシンボルの長さの半分に等しい）とL＝１１６であるLTF基本シーケンスを選択する。したがって、STAが逆拡散されたLTF基本シーケンスに従ってチャネル推定を実行するとき、補間係数２を用いて全てのサブキャリアのチャネル推定を得ることができる。すなわち、補間係数２を用いて、データシンボルのために必要なチャネル推定を得ることができる。しかしながら、環境タイプ２では、APは、各ユーザのデータストリームに対して、LTFパラメータがS＝２５６とL＝１１６であるLTF基本シーケンスを選択する。APが、選択されたLTF基本シーケンスを、２つのサブキャリアの間隔で周波数ドメインサブキャリアにマッピングするとき、STAが逆拡散されたLTF基本シーケンスに従ってチャネル推定を実行するとき、補間係数２を用いて全てのサブキャリアのチャネル推定を得ることができる。すなわち、補間係数２を用いて、データシンボルに必要なチャネル推定を得ることができる。
【表４】
0006454779.tif 000010
【表５】
0006454779.tif 000011
【表５ａ】
0006454779.tif 000012
【表５ｂ】
0006454779.tif 000013
【０１５５】
STAによるチャネル推定の精度を保証するために、空間ストリームを区別するためのサブキャリア数Mは、APが配置される異なる環境に従って生成される必要がある。加えて、シグナリングオーバヘッドを低減するために、Mが要件を満たすことを保証しながらNをできるだけ低減する必要がある。具体的には、環境タイプ２のAPでは、APが屋外環境にあるので、無線チャネルの周波数選択性フェーディングが大きい。STAによるチャネル推定の精度を保証するために、APは、LTF基本シーケンスの隣接エレメントを２以下の間隔でサブキャリアにそれぞれマッピングする必要がある。このケースでは、空間ストリームを区別するためのサブキャリア数Mの値は２以下である。環境タイプ１のAPでは、APが屋内環境にあるので、無線チャネルの周波数選択性フェーディングが屋外環境よりも小さい。このように、STAによるチャネル推定の精度を保証するために、APは、LTF基本シーケンスの隣接エレメントを４以下の間隔でサブキャリアにそれぞれマッピングする必要がある。このケースでは、空間ストリームを区別するためのサブキャリア数Mの値は４以下である。
【０１５６】
方式３：マッピング関係テーブルは、多重化空間ストリームの数Nssと、Nssに対応するパラメータとを含む。
【０１５７】
例えば、全てのAPのタイプは802.11axであり、マッピング関係テーブルの形成方式は表６、表７又は表７ａに示すことができる。シグナリングオーバヘッドを低減するために、Nの値とLTF基本シンボルの長さをできるだけ小さくする必要がある。具体的には、表６、表７又は表７ａに示されるマッピング関係テーブルに含まれるパラメータは、２つのタイプのSを含む。Nssの値が大きいとき、Nの値が小さくなるように大きな値のSを選択することができる。Nssの値が小さいとき、Nの値が小さくなるとき、LTF基本シンボルの長さが短くなるように、小さい値のSを選択することができる。表６に示されるマッピング関係テーブルを例に挙げると、Nssが８であるとき、S＝２５６、N＝２、M＝４、L＝５６が、NssとAPが配置された環境のタイプとに対応するパラメータである。このケースでは、Sの値が２５６であり、Nの値が２であることが分かる。従来技術では、Nssが８であるときNの値は８である。したがって、Nssの値が大きいとき、本発明で用いられるNの値は、従来技術に用いられるものに比べて低減される。すなわち、本発明のパラメータを用いて生成されたLTFシーケンスの長さは、従来技術のパラメータを用いて生成されたLTFシーケンスの長さよりも短い。したがって、シグナリングオーバヘッドが低減される。Nssが１であるとき、S＝６４、N＝１、M＝１、L＝５６が、Nssに対応するパラメータである。このケースでは、Sの値が６４であるとき、Nの値が１であることが分かり、これは従来技術においてNssが１であるときのNの値と同じである。本発明で用いられるSの値が小さいので、LTF基本シンボルの長さも短く、すなわち、本発明のパラメータを用いて生成されたLTFシーケンスの長さも短く、したがって、シグナリングオーバヘッドが低減される。
【０１５８】
更にシグナリングオーバヘッドを低減するために、マッピング関係テーブルの形成方式を表７ｂに示すことができる。マッピング関係テーブルに含まれるパラメータは、３つのタイプのSを含む。Nssの値が大きいとき、Nの値が小さくなるように大きな値のSを選択することができる。Nssの値が小さいとき、Nの値が小さくなるとき、LTF基本シンボルの長さが短くなるように、小さい値のSを選択することができる。表７ｂに示されるマッピング関係テーブルでは、Nssが８であるとき、S＝２５６、N＝２、M＝４、L＝５６が、Nssに対応するパラメータである。このケースでは、Sの値が２５６であるとき、Nの値が２であることが分かる。従来技術では、Nssが８であるときNの値は８である。したがって、Nssの値が大きいとき、本発明で用いられるNの値は、従来技術に用いられるものに比べて低減される。すなわち、本発明のパラメータを用いて生成されたLTFシーケンスの長さは、従来技術のパラメータを用いて生成されたLTFシーケンスの長さよりも短い。したがって、シグナリングオーバヘッドが低減される。Nssが６であるとき、S＝１２８、N＝３、M＝２、L＝５６が、Nssに対応するパラメータである。このケースでは、Sの値が１２８であるとき、Nの値が３であることが分かる。従来技術では、Nssが６であるとき、用いられるNの値は６である。したがって、Nssの値が大きいとき、本発明で用いられるNの値は、従来技術に用いられるものに比べて低減される。加えて、本発明で用いられるSに対応するLTF基本シンボルの長さ（本発明で用いられるSに対応するLTF基本シンボルの長さは６．４μｓである）は、従来技術で用いられるSに対応するLTF基本シンボルの長さ（従来技術で用いられるSに対応するLTF基本シンボルの長さは３．２μｓである）と有意差はない。すなわち、本発明のパラメータを用いて生成されたLTFシーケンスの長さは、従来技術のパラメータを用いて生成されたLTFシーケンスの長さよりも短く、したがって、シグナリングオーバヘッドが低減される。Nssが１であるとき、S＝６４、N＝１、M＝１、L＝５６が、Nssに対応するパラメータである。Sの値が６４であるとき、Nの値が１であることが分かり、これは従来技術においてNssが１であるときのNの値と同じである。本発明で用いられるSの値が小さいので、LTF基本シンボルの長さも短く、すなわち、本発明のパラメータを用いて生成されたLTFシーケンスの長さも短く、したがって、シグナリングオーバヘッドが低減される。
【表６】
0006454779.tif 000014
【表７】
0006454779.tif 000015
【表７ａ】
0006454779.tif 000016
【表７ｂ】
0006454779.tif 000017
【０１５９】
方式４：マッピング関係テーブルは、多重化空間ストリームの数Nssと、変調符号化スキーム（modulation  and  coding  strategy，MCS）特性情報と、Nss及びMCS特性情報に対応するパラメータとを含む。
【０１６０】
MCS特性情報は、APとSTAとの間で交換される無線チャネル情報から取得されてよく、MCSのサイズはMCS特性情報を反映する。
【０１６１】
例えば、全てのAPのタイプが802.11axであり、マッピング関係テーブルの形成方式を表８、表９又は表９ａに示すことができる。
【表８】
0006454779.tif 000018
【表９】
0006454779.tif 000019
【表９ａ】
0006454779.tif 000020
【０１６２】
STAによるチャネル推定の精度を保証するために、空間ストリームを区別するためのサブキャリア数Mは、用いられるMCSのサイズに従って生成される必要がある。加えて、シグナリングオーバヘッドを低減するために、Mが要件を満たすことを保証しながらNをできるだけ低減する必要がある。具体的には、MCSのサイズが５と９との間である場合、STAがチャネル推定を実行するとき、STAが無線チャネルの信号対雑音比の変化に対して比較的敏感であることを示す。STAによるチャネル推定の精度を保証するために、APは、LTF基本シーケンス内の隣接エレメントを２以下の間隔でそれぞれサブキャリアにマッピングする必要がある。このケースでは、空間ストリームを区別するためのサブキャリア数Mの値は２以下である。MCSのサイズが０と４との間であるとき、STAがチャネル推定を実行するとき、STAが無線チャネルの信号対雑音比の変化に敏感でないことを示す。同様に、STAによるチャネル推定の精度を保証するために、APは、LTF基本シーケンス内の隣接するエレメントを４以下の間隔でそれぞれサブキャリアにマッピングする必要がある。このケースでは、空間ストリームを区別するためのサブキャリア数Mの値は４以下である。
【０１６３】
マッピング関係テーブルの形成方式が方式１であるとき、APが、事前構成されたマッピング関係テーブルに従ってLTFパラメータを取得することは、具体的には、NssとAPのタイプとに対応するパラメータをLTFパラメータとして用いること、であってよい。
【０１６４】
APは、NssとAPのタイプとに従ってマッピング関係テーブルにクエリを行い、NssとAPのタイプとに対応するパラメータを取得し、該パラメータをLTFパラメータとして用いる。例えば、APにおいて事前構成されたマッピング関係テーブルは、方式１の表２である。APのタイプがタイプ２であり、且つAPによって多重化された空間ストリームの数Nssが８である場合、APは、NssとAPのタイプとに従ってマッピング関係テーブルにクエリを行い、対応するパラメータS＝２５６、N＝２、M＝４、L＝５６を取得してよい。すなわち、LTFパラメータは、S＝２５６、N＝２、M＝４、L＝５６である。
【０１６５】
マッピング関係テーブルの形成方式が方式２であるとき、APが、事前構成されたマッピング関係テーブルに従ってLTFパラメータを取得することは、具体的には、NssとAPが配置された環境のタイプとに従って、NssとAPが配置された環境のタイプとに対応するパラメータをLTFパラメータとして用いること、であってよい。
【０１６６】
APは、NssとAPが配置された環境のタイプとに従ってマッピング関係テーブルにクエリを行い、NssとAPのタイプとに対応するパラメータを取得し、該パラメータをLTFパラメータとして用いる。例えば、APにおいて事前構成されたマッピング関係テーブルは、方式２の表４である。APが配置された環境のタイプが屋外であり、且つAPによって多重化された空間ストリームの数Nssが８である場合、APは、NssとAPが配置された環境のタイプとに従ってマッピング関係テーブルにクエリを行い、対応するパラメータS＝２５６、N＝４、M＝２、L＝１１６を取得してよい。すなわち、LTFパラメータは、S＝２５６、N＝４、M＝２、L＝１１６である。
【０１６７】
マッピング関係テーブルの形成方式が方式３であるとき、APが、事前構成されたマッピング関係テーブルに従ってLTFパラメータを取得することは、具体的には、Nssに従って、Nssに対応するパラメータをLTFパラメータとして用いること、であってよい。
【０１６８】
APは、Nssに従ってマッピング関係テーブルにクエリを行い、Nssに対応するパラメータを取得し、該パラメータをLTFパラメータとして用いる。例えば、APにおいて事前構成されたマッピング関係テーブルは、方式３の表６である。APによって多重化された空間ストリームの数Nssが８である場合、APは、Nssに従ってマッピング関係テーブルにクエリを行い、対応するパラメータS＝２５６、N＝２、M＝４、L＝５６を取得してよい。すなわち、LTFパラメータは、S＝２５６、N＝２、M＝４、L＝５６である。
【０１６９】
マッピング関係テーブルの形成方式が方式４であるとき、APが、事前構成されたマッピング関係テーブルに従ってLTFパラメータを取得することは、具体的には、Nss及びMCS特性情報に従って、Nss及びMCS特性情報に対応するパラメータをLTFパラメータとして用いること、であってよい。
【０１７０】
APは、Nss及びMCS特性情報に従ってマッピング関係テーブルにクエリを行い、Nss及びMCS特性情報に対応するパラメータを取得し、該パラメータをLTFパラメータとして用いる。例えば、APにおいて事前構成されたマッピング関係テーブルは、方式４の表７である。APによって多重化された空間ストリームの数Nssが８であり、且つMCS特性情報が３である場合、APは、Nss及びMCS特性情報に従ってマッピング関係テーブルにクエリを行い、対応するパラメータS＝２５６、N＝２、M＝４、L＝５６を取得してよい。すなわち、LTFパラメータは、S＝２５６、N＝２、M＝４、L＝５６である。
【０１７１】
Ｓ５０２．APが、周波数ドメイン変換パラメータ及びIに従って、LTF基本シーケンスに対して周波数ドメイン変換を実行して、LTFシンボルを得る。
【０１７２】
APがLTFパラメータと割り当てられたサブキャリアの開始位置Iとを取得した後、APは、取得されたLTFパラメータに含まれる周波数ドメイン変換パラメータと、割り当てられるサブキャリアの取得された開始位置Iとに従って、周波数ドメイン周波数分割多重（Frequency  Division  Multiplexing，FDM）モード又は周波数ドメインCDMモードで、LTF基本シーケンスに対して周波数ドメイン変換を実行して、LTFシンボルを得てよい。
【０１７３】
APが、LTF基本シーケンスに対して周波数ドメイン変換を実行するために周波数ドメインFDMモードを用いる場合、APが、周波数ドメイン変換パラメータ及びIに従って、LTF基本シーケンスに対して周波数ドメイン変換を実行して、LTFシンボルを得ることは、以下のステップＳ５０２ａ１〜Ｓ５０２ａ４を含んでよい。
【０１７４】
Ｓ５０２ａ１．APが、Iから開始して、
【数５】
0006454779.tif 000021
個のサブキャリアの間隔で、LTF基本シーケンス内の各エレメントを対応するサブキャリアにマッピングして、周波数ドメインLTFシーケンスを得る。
【０１７５】
LTF基本シーケンスはAPによって割り当てられる。APにおいて事前構成されたマッピング関係テーブルが方式１を採用する場合、記憶されたLTF基本シーケンスが直接取得される。APにおいて事前構成されたマッピング関係テーブルが、方式２、方式３又は方式４のいずれかを採用する場合、APがLTFパラメータを取得した後、APは、LTFパラメータに含まれる周波数ドメイン変換パラメータLに従って、予め記憶されたLTF基本シーケンスから使用する必要のあるLTF基本シーケンスを選択してよい。例えば、APによって取得されたLTFパラメータに含まれる周波数ドメイン変換パラメータLが５６であるとき、Lに従って選択されるLTF基本シーケンスは、
LTF基本シーケンス=｛1  1  LTFleft  0  LTFright  -1  -1｝
であってよい。式中、LTFleft及びLTFrightに含まれるエレメントの数は、両方とも２６である。
【０１７６】
APがLTFパラメータを取得した後、APは、取得されたLTFパラメータに含まれる周波数ドメイン変換パラメータM，L，Sと、割り当てられるサブキャリアの取得された開始位置Iとに従って、Iから開始して、
【数６】
0006454779.tif 000022
個のサブキャリアの間隔で、LTF基本シーケンス内の各エレメントを対応するサブキャリアにマッピングして、周波数ドメインLTFシーケンスを得てよい。ここで、
【数７】
0006454779.tif 000023
は切捨てを示す。
【０１７７】
可能な実施方式では、APは、Iから開始して、
【数８】
0006454779.tif 000024
個のサブキャリアの間隔で、設計又は取得されたパターン
【数９】
0006454779.tif 000025
に従って、LTF基本シーケンス内の各エレメントを対応するサブキャリアにマッピングする。式中、lはLTF基本シーケンス内のl番目のエレメントであり、Iは空間ストリームに割り当てられるサブキャリアの開始位置であり、I0は利用可能なサブキャリアの開始位置である。例えば、APにおいて事前構成されたマッピング関係テーブルは、方式１の表２である。APのタイプがタイプ２であり、且つAPによって多重化された空間ストリームの数Nssが８である場合、APは、NssとAPのタイプとに従ってマッピング関係テーブルにクエリを行い、LTFパラメータS＝２５６、N＝２、M＝４、L＝５６を取得してよい。APによって取得されたLTFパラメータがS＝２５６、M＝４、L＝５６である場合、APは、LTFパラメータに含まれる周波数ドメイン変換パラメータMに従って、周波数ドメインにおいて区別される空間ストリームの数が４であると決定してよく、これに対応して、設計又は取得されたパターンは
【数１０】
0006454779.tif 000026
である。第１の空間ストリームを例に挙げると、利用可能なサブキャリアの開始位置I0が１であり、mが０に等しいと仮定すると、空間ストリームに割り当てられるサブキャリアの開始位置Iは１に等しい。APは、サブキャリア１から開始して、４つのサブキャリアの間隔で、設計又は取得されたパターン
【数１１】
0006454779.tif 000027
に従って、LTF基本シーケンス内の各エレメントを対応するサブキャリアにマッピングする。マッピングは、第１の空間ストリームを周波数ドメインにマッピングする方法を参照することにより、他の３つの空間ストリームについて実行されてよい。図１１は、周波数ドメイン変換パラメータ及びIに従って４つの空間ストリームについてLTF基本シーケンスに対して周波数ドメインマッピングが実行された後に得られる、周波数ドメインLTFシーケンスの概略図を示す。APによって周波数ドメインで区別される４つの空間ストリームはそれぞれ異なるサブキャリアにマッピングされるので、４つの空間ストリームは周波数ドメインで区別することができる。mの値は、その値が任意の他の空間ストリームに対応するmの値と異なることが保証される限り、０，１，２又は３のいずれかであってよい。対応するmは、実際の適用シナリオに従って選択されてよく、本発明の実施形態ではmの値はこれに限定されない。
【０１７８】
Ｓ５０２ａ２．APが、周波数ドメインLTFシーケンスに対してSポイントIFFT変換を実行して、LTF基本シンボルを得る。
【０１７９】
APが、Iから開始して、
【数１２】
0006454779.tif 000028
個のサブキャリアの間隔で、LTF基本シーケンス内の各エレメントを対応するサブキャリアにマッピングして、周波数ドメインLTFシーケンスを得た後、APは、周波数ドメインLTFシーケンスに対してSポイントIFFT変換を実行して、LTF基本シンボルを得てよい。
【０１８０】
Ｓ５０２ａ３．APが、LTF基本シンボルをCPと組み合わせて、LTFシンボルを生成する。
【０１８１】
CPは、LTF基本シンボル内の［（L1−Lcp），L1］のエレメントと同じである。L1はLTF基本シンボルの長さであり、LcpはCPの長さである。
【０１８２】
APがLTF基本シーケンスに対して周波数ドメイン変換を実行するために周波数ドメインCDMモードを用いる場合、APが、周波数ドメイン変換パラメータ及びIに従って、LTF基本シーケンスに対して周波数ドメイン変換を実行して、LTFシンボルを得ることは、以下のステップＳ５０２ｂ１〜Ｓ５０２ｂ４を含んでよい。
【０１８３】
APが周波数ドメインCDMモードを用いてLTF基本シーケンスに対して周波数ドメイン変換を実行するプロセスにおいて、周波数ドメイン変換パラメータMは、具体的には、空間ストリームを区別するための連続したサブキャリアの数であってよい。
【０１８４】
Ｓ５０２ｂ１．APが、Mに従って、LTF基本シーケンス内の各エレメントに対してスペクトラム拡散処理を実行して、LTFスペクトラム拡散シーケンスを得る。
【０１８５】
APは、Mに従って、周波数ドメインにおいて区別される空間ストリームの数を決定してよい。各空間ストリームについて、APは各エレメントをM回繰り返し、次に、対応する周波数ドメインスペクトラム拡散シーケンスでエレメントを乗算して、LTFスペクトラム拡散シーケンスを得る。ここで、LTFスペクトラム拡散シーケンスはM＊L個のエレメントを含む。
【０１８６】
可能な実施方式では、スペクトラム拡散シーケンスは、M＊M次元Ｐ−行列のi番目の行のシーケンス｛p(i,1),…,p(I,M)｝  i=1,…,Mであってよい。iは、Ｐ−行列のi番目の行である。例えば、当業者による理解を容易にするために、ステップＳ５０２ａ１の例で取得されたLTFパラメータ（S＝２５６、N＝２、M＝４、L＝５６）を更に例として用いる。LTFパラメータに含まれる周波数ドメイン変換パラメータMに従って、Ｐ−行列が４＊４次元であり、周波数ドメインにおいて区別される空間ストリームの数が４であると決定されてよい。第１の空間ストリームを例に挙げると、第１の空間ストリームのスペクトラム拡散シーケンスがＰ−行列の第１の行のシーケンスであると仮定すると、LTF基本シーケンス内の各エレメントを４回繰り返した後、APは、エレメントに空間ストリームのスペクトラム拡散シーケンス（Ｐ−行列の第１の行内のシーケンス）を乗算して、４×５６個のエレメントを含むLTFスペクトラム拡散シーケンスを得る。他の３つの空間ストリームについては、第１の空間ストリームのスペクトラム拡散処理の方法を参照することにより、スペクトラム拡散処理が実行されてよい。APによって周波数ドメインで区別される空間ストリームは、スペクトラム拡散処理中にＰ−行列の異なる行のシーケンスによってそれぞれ乗算されるので、４つの空間ストリームは周波数ドメインで区別することができる。第１の空間ストリームのスペクトラム拡散シーケンスは、Ｐ−行列のi番目の行のシーケンスである。iの値は、その値が他の任意の空間ストリームのスペクトラム拡散シーケンスと異なることが保証される限り、１，２，３又は４のいずれかであってよい。対応するiは、実際の適用シナリオに従って選択されてよく、本発明の実施形態では、iの値はこれに限定されない。
【０１８７】
Ｓ５０２ｂ２．APが、Iから開始して、LTFスペクトラム拡散シーケンスの各エレメントを対応するサブキャリアにマッピングして、周波数ドメインLTFシーケンスを得る。
【０１８８】
APがMに従って、LTF基本シーケンス内の各エレメントに対してスペクトラム拡散処理を実行して、LTFスペクトラム拡散シーケンスを得た後、APは、Iから開始して、LTFスペクトラム拡散シーケンスの各エレメントを対応するサブキャリアにマッピングして、周波数ドメインLTFシーケンスを得てよい。
【０１８９】
可能な実施方式では、APは、Iから開始して、設計又は取得されたパターン
【数１３】
0006454779.tif 000029
に従って、LTFスペクトラム拡散シーケンスの各エレメントを対応するサブキャリアにマッピングする。式中、lはLTFスペクトラム拡散シーケンス内のl番目のエレメントであり、Iは空間ストリームに割り当てられるサブキャリアの開始位置であり、I0は利用可能なサブキャリアの開始位置である。例えば、当業者による理解を容易にするために、ステップＳ５０２ａ１の例で取得されたLTFパラメータ（S＝２５６、N＝２、M＝４、L＝５６）を更に例として用いる。LTFパラメータに含まれる周波数ドメイン変換パラメータMに従って、周波数ドメインにおいて区別される空間ストリームの数が４であると決定されてよい。これに対応して、設計又は取得されたパターンは
【数１４】
0006454779.tif 000030
である。第１の空間ストリームを例に挙げると、利用可能なサブキャリアの開始位置I0が１に等しいと仮定すると、周波数ドメインの空間ストリームに割り当てられるサブキャリアの開始位置Iは１と等しい。APは、サブキャリア１から開始して、設計又は取得されたパターン
【数１５】
0006454779.tif 000031
に従って、LTFスペクトラム拡散シーケンスの各エレメントを対応するサブキャリアにマッピングする。他の３つの空間ストリームについては、周波数ドメインにおいて第１の空間ストリームをマッピングする方法を参照することにより、マッピングが実行されてよい。図１２は、周波数ドメイン変換パラメータ及びIに従って４つの空間ストリームについてLTFスペクトラム拡散シーケンスに対して周波数ドメインマッピングが実行された後に得られる周波数ドメインLTFシーケンスの概略図を示す。
【０１９０】
Ｓ５０２ｂ３．APが、周波数ドメインLTFシーケンスに対してSポイントIFFT変換を実行して、LTF基本シンボルを得る。
【０１９１】
Ｓ５０２ｂ４．APが、LTF基本シンボルをCPと組み合わせて、LTFシンボルを生成する。
【０１９２】
CPは、LTF基本シンボル内の［（L1−Lcp），L1］のエレメントと同じである。L1はLTF基本シンボルの長さであり、LcpはCPの長さである。
【０１９３】
APがLTFシンボルを得た後、APは、時間ドメイン変換パラメータに従って、LTFシンボルに対して時間ドメイン変換を実行して、LTFシーケンスを得てよい。具体的には、ステップＳ５０３が含まれてよい。
【０１９４】
Ｓ５０３．APが、Nに従って、LTFシンボルに対してスペクトラム拡散処理を実行して、LTFシーケンスを生成する。
【０１９５】
APは、Nに従って、時間ドメインにおいて区別される空間ストリームの数を決定してよい。各空間ストリームについて、APはLTFシンボルをN回繰り返し、次に、対応する周波数ドメインスペクトラム拡散シーケンスでLTFシンボルを乗算して、LTFシーケンスを得る。
【０１９６】
可能な実施方式では、スペクトラム拡散シーケンスは、N＊N次元Ｐ−行列のｊ番目の行のシーケンス｛p(j,1),…,p(j,N)｝  j=1,…,Nであってよい。ｊはＰ−行列のｊ番目の行である。例えば、当業者による理解を容易にするために、ステップＳ５０２ａ１の例で取得されたLTFパラメータ（S＝２５６、N＝２、M＝４、L＝５６）を更に例として用いる。LTFパラメータに含まれる時間ドメイン変換パラメータNに従って、Ｐ−行列が２＊２次元であり、時間ドメインにおいて区別される空間ストリームの数が２であると決定されてよい。第１の空間ストリームを例に挙げると、第１の空間ストリームのスペクトラム拡散シーケンスがＰ−行列の第１の行のシーケンスであると仮定すると、LTFシンボルを２回繰り返した後、APは、LTFシンボルに空間ストリームのスペクトラム拡散シーケンス（Ｐ−行列の第１の行内のシーケンス）を乗算して、LTFシーケンスを生成する。他の３つの空間ストリームについては、第１の空間ストリームのスペクトラム拡散処理の方法を参照することにより、スペクトラム拡散処理が実行されてよい。APによって時間ドメインで区別される空間ストリームは、Ｐ−行列の異なる行のシーケンスによってそれぞれ乗算されるので、２つの空間ストリームは時間ドメインで区別することができる。第１の空間ストリームのスペクトラム拡散シーケンスは、Ｐ−行列のｊ番目の行のシーケンスである。ｊの値は、その値が他の空間ストリームのスペクトラム拡散シーケンスと異なることが保証される限り、１と２のいずれかであってよい。対応するｊは、実際の適用シナリオに従って選択されてよく、本発明の実施形態では、ｊの値はこれに限定されない。
【０１９７】
要約すると、M個の空間ストリームは、異なるサブキャリアを用いることにより周波数ドメインで区別することができ、異なるスペクトラム拡散シーケンスを用いることによりN個の空間ストリームを時間ドメインで区別することができるので、M＊N個の空間ストリームは、周波数ドメイン変換及び時間ドメイン変換によって区別することができる。
【０１９８】
無線ローカルエリアネットワークの帯域幅が２０ＭＨｚであり、CPが３．２μｓであると仮定すると、本発明を用いて周波数ドメイン変換と時間ドメイン変換を通じて生成されたLTFシーケンスの長さを、従来技術を用いて時間ドメイン変換によって生成されたLTFシーケンスの長さと比較する。APにおいて事前構成されたマッピング関係テーブルが方法１の表２を用いるとき、具体的な比較結果を表１０に示す。
【表１０】
0006454779.tif 000032
【０１９９】
表１０から分かるように、多重化空間ストリームの数Nssが２よりも大きいとき、本発明の実施形態によって提供される方法を用いてAPによって生成されるLTFシーケンスの長さは、従来技術を用いて生成されたLTFシーケンスの長さよりも短い。
【０２００】
APにおいて事前構成されたマッピング関係テーブルが方式１の表２を用いるとき、具体的な比較結果が表１１に示される。
【表１１】
0006454779.tif 000033
【０２０１】
表１１から分かるように、多重化空間ストリームの数Nssが４よりも大きいとき、本発明の実施形態によって提供される方法を用いてAPによって生成されるLTFシーケンスの長さは、従来技術を用いて生成されたLTFシーケンスの長さよりも短い。
【０２０２】
APにおいて事前構成されたマッピング関係テーブルが方式３の表６を用いるとき、具体的な比較結果が表１２に示される。
【表１２】
0006454779.tif 000034
【０２０３】
表１２から分かるように、本発明の実施形態によって提供される方法を用いてAPによって生成されるLTFシーケンスの長さは、従来技術によって提供される方法を用いて生成されるLTFシーケンスの長さよりも短い。
【０２０４】
APにおいて事前構成されたマッピング関係テーブルが方式３の表７ａを用いるとき、具体的な比較結果が表１３に示される。
【表１３】
0006454779.tif 000035
【０２０５】
表１３から分かるように、多重化空間ストリームの数Nssが２よりも大きいとき、本発明の実施形態によって提供される方法を用いてAPによって生成されるLTFシーケンスの長さは、従来技術によって提供される方法を用いて生成されるLTFシーケンスの長さよりも短い。
【０２０６】
APにおいて事前構成されたマッピング関係テーブルが方式３の表７ｂを用いるとき、具体的な比較結果が表１４に示される。
【表１４】
0006454779.tif 000036
【０２０７】
表１４から分かるように、多重化空間ストリームの数Nssが１よりも大きいとき、本発明の実施形態によって提供される方法を用いてAPによって生成されるLTFシーケンスの長さは、従来技術によって提供される方法を用いて生成されるLTFシーケンスの長さよりも短い。
【０２０８】
STAは、LTF基本シーケンスを得るためにLTFシーケンスを解析する必要があるので、STAは、LTFシーケンスを生成するためにAPによって用いられるLTFパラメータを学習する必要がある。シグナリングオーバヘッドを低減するために、APは、LTFパラメータを取得するための指示情報をSTAに通知してよい。したがって、APは、LTFシーケンスを第１のデータフレームに追加し、第１のデータフレームをSTAに送信する。具体的には、以下のステップＳ５０４が含まれてよい。
【０２０９】
Ｓ５０４．APが、LTFシーケンス及び指示情報を第１のデータフレームに追加し、第１のデータフレームをSTAに送信する。
【０２１０】
APで事前構成されたマッピング関係テーブルの形成方式が方式１であるとき、指示情報は多重化空間ストリームの数Nssを含んでよく、又は、指示情報は、多重化空間ストリームの数Nss及びサブキャリア数Sを含む。
【０２１１】
APで事前構成されたマッピング関係テーブルの形成方式が方式２であるとき、指示情報は多重化空間ストリームの数Nssを含む。
【０２１２】
APで事前構成されたマッピング関係テーブルの形成方式が方式３であるとき、指示情報は多重化空間ストリームの数Nssを含み、又は、指示情報は、LTFシーケンスに含まれるLTFシンボルの数Nを含む。
【０２１３】
APで事前構成されたマッピング関係テーブルの形成方式が方式４であるとき、指示情報は、多重化空間ストリームの数Nss及びMCS特性情報を含む。
【０２１４】
留意すべきこととして、第１のデータフレームで搬送される指示情報について、対応するパラメータは実際の適用シナリオに従って選択されてよい。指示情報に含まれる具体的なパラメータは、本発明の実施形態ではここに限定されない。
【０２１５】
Ｓ５０５．STAが、APによって送信された、LTFシーケンス及び指示情報を搬送する第１のデータフレームを受信する。
【０２１６】
Ｓ５０６．STAが、指示情報と事前構成されたマッピング関係テーブルとに従ってLTFパラメータを取得し、割り当てられたサブキャリアの開始位置Iを取得する。
【０２１７】
STAは、APによって送信された明示的シグナリング（explict  signaling）に従って、空間ストリームに割り当てられるサブキャリアの開始位置Iを取得してよく、或いは、APによって送信された暗示的シグナリング（implicit  signaling）に従って、空間ストリームに割り当てられるサブキャリアの開始位置Iを取得してよい。STAが、APによって送信されたimplicit  signalingに従って、空間ストリームに割り当てられるサブキャリアの開始位置Iを取得するとき、STAによって取得された割り当てられたサブキャリアの開始位置Iは、受信された空間ストリームのデフォルトシーケンスである。
【０２１８】
STAにおいて事前構成されたマッピング関係テーブルの形成方式が方式１であるとき、第１の可能な実施方式では、指示情報がNssを含み、且つSTAがAPにアクセスするときにAPのタイプを取得した場合、STAが指示情報と事前構成されたマッピング関係テーブルとに従ってLTFパラメータを取得することは、具体的には、STAが、NssとAPのタイプとに従って、NssとAPのタイプとに対応するパラメータをLTFパラメータとして用いること、を含んでよい。
【０２１９】
STAが、NssとAPのタイプとに従ってマッピング関係テーブルにクエリを行い、NssとAPのタイプとに対応するパラメータを取得し、該パラメータをLTFパラメータとして用いる。
【０２２０】
第２の可能な実施方式では、指示情報がNss及びサブキャリア数Sを含み、且つSTAがAPにアクセスするときにAPのタイプを取得しなかった場合、STAが指示情報と事前構成されたマッピング関係テーブルとに従ってLTFパラメータを取得することは、具体的には、STAが、Sに従ってAPのタイプを決定し、NssとAPのタイプとに従って、NssとAPのタイプとに対応するパラメータをLTFパラメータとして用いること、を含んでよい。
【０２２１】
STAにおいて事前構成されたマッピング関係テーブルでは、SとAPのタイプとの間には対応関係が存在するので、STAは、Sに従ってマッピング関係テーブルにクエリを行うことにより、APのタイプを決定してよい。APのタイプを決定した後、STAは、NssとAPの決定されたタイプに従ってマッピング関係テーブルにクエリを行い、見つかったパラメータをLTFパラメータとして用いる。
【０２２２】
第３の可能な実施方式では、指示情報がNssを含み、且つSTAがAPにアクセスするときにAPのタイプを取得しなかった場合、STAが指示情報と事前構成されたマッピング関係テーブルとに従ってLTFパラメータを取得するプロセスは、具体的には、STAが、CPの長さに従ってSを決定し、Sに従ってAPのタイプを決定し、NssとAPのタイプとに従って、NssとAPのタイプとに対応するパラメータをLTFパラメータとして用いること、を含んでよい。
【０２２３】
STAは、APにアクセスするときにAPと交換された情報から、CPの長さがLcpであることを取得してよい。LTFシンボルの長さがL2であると仮定すると、CPはLTFシンボルの［（L2−Lcp），L2］のエレメントと同じであるので、LTFシンボルの［０，Lcp］のエレメントと［（L2−Lcp），L2］のエレメントに対して自己相関演算が実行されてよく、得られた自己相関ピークが所定の閾値と比較される。得られた自己相関ピークが所定の閾値を超える場合、LTFシンボルの長さがL2であると決定されてよい。得られた自己相関ピークが所定の閾値を超えない場合、LTFシンボルの長さはL3と再仮定されてよい。次に、［０，Lcp］のLTFシンボルのエレメントと［（L3−Lcp），L3］のエレメントに対して自己相関演算が実行されてよく、得られた自己相関ピークが所定の閾値と比較される。得られた自己相関ピークが所定の閾値を超える場合、LTFシンボルの長さがL3であると決定されてよい。得られた自己相関ピークが所定の閾値を超えない場合、LTFシンボルの長さはLTFシンボルの長さが決定されるまで再仮定されてよい。STAがLTFシンボルの長さを決定した後、LTFシンボルの長さはシンボルの長さ＋CPの長さに等しいので、CPの長さは既知であり、LTFシンボルの決定された長さに従って、シンボルの長さ（LTFシンボルの長さ−CPの長さ）を得ることができる。Sは、シンボルの長さとSとの間の対応関係に従って決定されてよい。このケースでは、Sに従ってマッピング関係テーブルにクエリを行うことができ、APのタイプが決定される。APのタイプを決定した後、STAは、NssとAPの決定されたタイプとに従ってマッピング関係テーブルにクエリを行い、見つかったパラメータをLTFパラメータとして用いる。
【０２２４】
STAにおいて事前構成されたマッピング関係テーブルの形成方式が方式２であるとき、指示情報がNssを含み、且つSTAがAPにアクセスするときにAPが配置された環境のタイプを取得した場合、STAが指示情報と事前構成されたマッピング関係テーブルとに従ってLTFパラメータを取得することは、STAが、NssとAPが配置された環境のタイプとに従って、NssとAPが配置された環境のタイプとに対応するパラメータをLTFパラメータとして用いること、を含んでよい。
【０２２５】
STAは、NssとAPが配置された環境のタイプとに従ってマッピング関係テーブルにクエリを行い、NssとAPのタイプとに対応するパラメータを取得し、該パラメータをLTFパラメータとして用いる。
【０２２６】
STAにおいて事前構成されたマッピング関係テーブルの形成方式が方式３であるとき、第１の可能な実施方式では、指示情報がNssを含む場合、STAが指示情報と事前構成されたマッピング関係テーブルとに従ってLTFパラメータを取得することは、STAが、Nssに従って、Nssに対応するパラメータがLTFパラメータであることを決定すること、を含んでよい。
【０２２７】
STAは、Nssに従ってマッピング関係テーブルにクエリを行い、Nssに対応するパラメータを取得し、該パラメータをLTFパラメータとして用いる。
【０２２８】
第２の可能な実施方式では、指示情報が、LTFシーケンスに含まれるLTFシンボルの数Nを含む場合、STAが指示情報と事前構成されたマッピング関係テーブルとに従ってLTFパラメータを取得することは、STAが、CPの長さに従ってサブキャリア数Sを決定し、次にN及びSに従ってNssを決定し、更にNssに従って、Nssに対応するパラメータがLTFパラメータであることを決定すること、を含んでよい。
【０２２９】
留意すべきこととして、STAがCPの長さに従ってサブキャリア数Sを決定する方法については、本発明の実施形態の関連する内容の説明を参照することができる。ここでは詳細を説明しない。
【０２３０】
STAは、N及びSに従ってマッピング関係テーブルにクエリを行うことによってNssを決定し、決定されたNssに従ってマッピング関係テーブルにクエリを行って、Nssに対応するパラメータを得て、対応するパラメータがLTFパラメータであることを決定してよい。
【０２３１】
留意すべきこととして、STAがCPの長さに従ってサブキャリア数Sを決定する方法については、本発明の実施形態の関連する内容の説明を参照することができる。ここでは詳細を説明しない。
【０２３２】
STAにおいて事前構成されたマッピング関係テーブルの形成方式が方式４である場合、指示情報はNss及びMCS特性情報を含むとき、STAが指示情報と事前構成されたマッピング関係テーブルとに従ってLTFパラメータを取得するプロセスは、STAが、Nss及びMCS特性情報に従って、Nss及びMCS特性情報に対応するパラメータをLTFパラメータとして用いること、を含んでよい。
【０２３３】
STAは、Nss及びMCS特性情報に従ってマッピング関係テーブルにクエリを行い、Nss及びMCS特性情報に対応するパラメータを取得し、該パラメータをLTFパラメータとして用いる。
【０２３４】
STAがLTFパラメータと割り当てられたサブキャリアの開始位置Iとを取得した後、STAは、時間ドメイン変換パラメータに従って、LTFシーケンスに対して時間ドメイン逆変換を実行して、LTFシンボルを得る。具体的には、ステップＳ５０７が含まれてよい。
【０２３５】
Ｓ５０７．STAが、Nに従って、LTFシーケンスに対して逆拡散処理を実行して、LTFシンボルを得る。
【０２３６】
STAは、Nに従って、時間ドメインにおいて区別される空間ストリームの数を決定してよい。各空間ストリームについて、STAは、LTFシーケンスに対応するスペクトラム拡散シーケンスを乗算して、LTFシンボルを得る。スペクトラム拡散シーケンスは、N＊N次元Ｐ−行列のｊ番目の行のシーケンスであり、APと情報を交換するプロセスで取得されてよい。例えば、当業者による理解を容易にするために、ステップＳ５０２ａ１の例で取得されたLTFパラメータ（S＝２５６、N＝２、M＝４、L＝５６）を更に例として用いる。LTFパラメータに含まれる時間ドメイン変換パラメータNに従って、Ｐ−行列が２＊２次元であり、時間ドメインにおいて区別される空間ストリームの数が２であると決定されてよい。第１の空間ストリームを例に挙げると、STAは、APと情報を交換するプロセスにおいて、第１の空間ストリームの拡散スペクトルシーケンスが２×２次元Ｐ−行列の第１行のシーケンスであることを取得する。したがって、STAは、LTFシーケンスに２＊２次元Ｐ−行列の第１行のシーケンスを乗算することにより、LTFシンボルを得てよい。第２の空間ストリームについて、第１の空間ストリームの逆拡散処理を参照して逆拡散処理を実行してよい。LTFシーケンス逆拡散処理においてSTAが用いるスペクトラム拡散シーケンスは、APとの間で交換される情報から取得される。すなわち、スペクトラム拡散シーケンスは、AP端でのスペクトラム拡散処理で用いられるスペクトラム拡散シーケンスと同じである。したがって、STAがLTFシンボルを適切に逆拡散できることを保証することができる。
【０２３７】
Ｓ５０８．STAが、周波数ドメイン変換パラメータ及びIに従って、LTFシンボルに対して周波数ドメイン逆変換を実行して、LTF基本シーケンスを得る。
【０２３８】
STAが時間ドメイン変換パラメータに従って、LTFシーケンスに対して時間ドメイン逆変換を実行してLTFシンボルを得た後、STAは、周波数ドメイン変換パラメータ及びIに従って、周波数ドメインFDMモード又は周波数ドメインCDMモードで、LTFシンボルに対して周波数ドメイン逆変換を実行して、LTF基本シーケンスを得てよい。
【０２３９】
APがLTFシンボルに対して周波数ドメイン変換を実行してLTF基本シーケンスを得るために周波数ドメインFDMモードを用いる場合、STAは、周波数ドメインFDMモードを用いて、LTFシンボルに対して周波数ドメイン逆変換を実行してよい。STAがLTFシンボルに対して周波数ドメイン逆変換を実行するために周波数ドメインFDMモードを用いるとき、STAが、周波数ドメイン変換パラメータ及びIに従って、LTFシンボルに対して周波数ドメイン逆変換を実行して、LTF基本シーケンスを得ることは、具体的には、以下のステップＳ５０８ａ１〜Ｓ５０８ａ３を含んでよい。
【０２４０】
Ｓ５０８ａ１．STAが、LTFシンボルに従ってLTF基本シンボルを決定する。
【０２４１】
CPは、LTFシンボルの［０、Lcp］のエレメントであり、LTF基本シンボルは、LTFシンボルの［０、Lcp］のエレメントが除去された後に得ることができる。
【０２４２】
Ｓ５０８ａ２．STAが、LTF基本シンボルに対してSポイントFFT変換を実行して、周波数ドメインLTFシーケンスを得る。
【０２４３】
Ｓ５０８ａ３．STAが、Iから開始して、
【数１６】
0006454779.tif 000037
個のサブキャリアの間隔で、周波数ドメインLTFシーケンスに従ってLTF基本シーケンスを抽出する。
【０２４４】
STAが周波数ドメインLTFシーケンスを得た後、STAは、Iから開始して、設計又は取得されたパターンに従って、取得されたM，L，S及びIに従って、周波数ドメインLTFシーケンスに対して逆マッピング処理を実行してよい。ここで、
【数１７】
0006454779.tif 000038
は切捨てを示す。
【０２４５】
可能な実施方式では、STAは、Iから開始して、
【数１８】
0006454779.tif 000039
個のサブキャリアの間隔で、設計又は取得されたパターン
【数１９】
0006454779.tif 000040
に従って、周波数ドメインLTFシーケンスからLTF基本シーケンスを抽出する。式中、lは周波数ドメインLTFシーケンス内のl番目のエレメントであり、Iは空間ストリームに割り当てられるサブキャリアの開始位置であり、I0は利用可能なサブキャリアの開始位置である。例えば、当業者による理解を容易にするために、ステップＳ５０２ａ１の例で取得されたLTFパラメータ（S＝２５６、N＝２、M＝４、L＝５６）を更に例として用いる。LTFパラメータに含まれる周波数ドメイン変換パラメータMに従って、周波数ドメインにおいて区別される空間ストリームの数が４であると決定されてよい。これに対応して、設計又は取得されたパターンは
【数２０】
0006454779.tif 000041
である。第１の空間ストリームを例に挙げると、第１の空間ストリームに対応するmは、APと情報を交換するプロセスで取得されてよい。このケースでは、取得されたmは０に等しい。利用可能なサブフレームの開始位置I0は１であるので、空間ストリームに割り当てられるサブキャリアの開始位置Iは１に等しい。STAは、サブキャリア１から開始して、４つのサブキャリアの間隔で、設計又は取得されたパターン
【数２１】
0006454779.tif 000042
に従って、周波数ドメインLTFシーケンスから空間ストリームのLTF基本シーケンスを抽出する。他の３つの空間ストリームについては、逆マッピング処理は、第１の空間ストリームの逆マッピング処理の方法を参照することによって実行されてよい。
【０２４６】
APがLTF基本シーケンスに対して周波数ドメイン変換を実行してLTFシンボルを得るために周波数ドメインCDMモードを用いる場合、STAは、周波数ドメインCDMモードを用いて、LTFシンボルに対して周波数ドメイン逆変換を実行してよい。STAが周波数ドメインCDMモードを用いてLTFシンボルに対して周波数ドメイン逆変換を実行するとき、STAが、周波数ドメイン変換パラメータ及びIに従って、LTFシンボルに対して周波数ドメイン逆変換を実行して、LTF基本シーケンスを得ることは、具体的には、ステップＳ５０８ｂ１〜Ｓ５０８ｂ４を含んでよい。
【０２４７】
STAが周波数ドメインCDMモードを用いてLTFシンボルに対して周波数ドメイン逆変換を実行するプロセスにおいて、周波数ドメイン変換パラメータMは、具体的には、空間ストリームを区別するための連続したサブキャリアの数であってよい。
【０２４８】
Ｓ５０８ｂ１．STAが、LTFシンボルに従ってLTF基本シンボルを決定する。
【０２４９】
留意すべきこととして、STAがLTFシンボルに従ってLTF基本シンボルを決定するプロセスについては、ステップＳ５０８ａ１の詳細な説明を参照することができる。ここでは詳細を説明しない。
【０２５０】
Ｓ５０８ｂ２．STAが、LTF基本シンボルに対してSポイントFFT変換を実行して、周波数ドメインLTFシーケンスを得る。
【０２５１】
Ｓ５０８ｂ３．STAが、Iから開始して、周波数ドメインLTFシーケンスに従って、対応するサブキャリアからLTFスペクトラム拡散シーケンスを抽出する。
【０２５２】
STAが周波数ドメインLTFシーケンスを得た後、STAは、Iから開始して、設計又は取得されたパターンに従って、周波数ドメインLTFシーケンスに対して逆マッピング処理を実行して、LTFスペクトラム拡散シーケンスを得る。LTFスペクトラム拡散シーケンスはM＊L個のエレメントを含む。
【０２５３】
可能な実施方式では、STAは、Iから開始して、設計又は取得されたパターン
【数２２】
0006454779.tif 000043
に従って、対応するサブキャリアからLTFスペクトラム拡散シーケンスを抽出する。式中、lはLTFシーケンス内のl番目のエレメントであり、Iは空間ストリームに割り当てられるサブキャリアの開始位置であり、I0は利用可能なサブキャリアの開始位置である。例えば、当業者による理解を容易にするために、ステップＳ５０２ａ１の例で取得されたLTFパラメータ（S＝２５６、N＝２、M＝４、L＝５６）を更に例として用いる。LTFパラメータに含まれる周波数ドメイン変換パラメータMに従って、周波数ドメインにおいて区別される空間ストリームの数が４であると決定されてよい。これに対応して、設計又は取得されたパターンは
【数２３】
0006454779.tif 000044
である。第１の空間ストリームを例に挙げると、利用可能なサブキャリアの開始位置I0が１に等しいので、空間ストリームに割り当てられるサブキャリアの開始位置Iは１と等しい。STAは、サブキャリア１から開始して、設計又は取得されたパターン
【数２４】
0006454779.tif 000045
に従って、対応するサブキャリアから空間ストリームのLTFスペクトラム拡散シーケンスを抽出する。他の３つの空間ストリームについては、逆マッピング処理は、第１の空間ストリームの逆マッピング処理の方法を参照することによって実行されてよい。
【０２５４】
Ｓ５０８ｂ４．STAが、Mに従って、LTFスペクトラム拡散シーケンスに対して逆拡散処理を実行して、LTF基本シーケンスを得る。
【０２５５】
STAは、Mに従って、周波数ドメインにおいて区別される空間ストリームの数を決定してよい。各空間ストリームについて、STAは、LTFスペクトラム拡散シーケンスに対応するスペクトラム拡散シーケンスを乗算して、LTF基本シーケンスを得る。スペクトラム拡散シーケンスは、M＊M次元Ｐ−行列のi番目の行のシーケンスであり、APと情報を交換するプロセスで取得されてよい。例えば、当業者による理解を容易にするために、ステップＳ５０２ａ１の例で取得されたLTFパラメータ（S＝２５６、N＝２、M＝４、L＝５６）を更に例として用いる。LTFパラメータに含まれる時間ドメイン変換パラメータMに従って、Ｐ−行列が４＊４次元であり、周波数ドメインにおいて区別される空間ストリームの数が４であると決定されてよい。第１の空間ストリームを例に挙げると、STAは、APと情報を交換するプロセスにおいて、第１の空間ストリームのスペクトラム拡散シーケンスが４＊４次元Ｐ−行列の第１行のシーケンスであることを取得する。したがって、STAは、LTFシーケンスに４＊４次元Ｐ−行列の第１行のシーケンスを乗算することにより、LTF基本シーケンスを得てよい。他の３つの空間ストリームについては、第１の空間ストリームの逆拡散処理を参照することにより、逆拡散処理が実行されてよい。LTFスペクトラム拡散シーケンスを逆拡散するプロセスでSTAによって用いられるスペクトラム拡散シーケンスは、APと交換された情報から取得される。すなわち、スペクトラム拡散シーケンスは、AP端でのスペクトラム拡散処理で用いられるスペクトラム拡散シーケンスと同じである。したがって、STAがLTF基本シーケンスを適切に逆拡散できることを保証することができる。
【０２５６】
Ｓ５０９．STAが、LTF基本シーケンスに従ってチャネル推定を実行する。
【０２５７】
STAがLTF基本シーケンスを逆拡散した後、STAは、LTF基本シーケンスに従ってチャネル推定を実行してよく、更に、LTF基本シーケンスに従ってCFO推定を実行してよい。STAがLTF基本シーケンスを搬送するサブキャリアのチャネル推定及びCFO推定を得た後、全てのサブキャリアのチャネル推定が補間によって得られる。次に、STAは、得られたチャネル推定及びCFO推定に従って、対応する空間ストリームのデータを検出する。
【０２５８】
留意すべきこととして、本発明の実施形態に係るデータフレームを伝送する方法は、無線ローカルエリアネットワークのダウンリンクにおいてMU-MIMO技術を用いる適用シナリオに適用できるだけでなく、無線ローカルエリアネットワークのダウンリンクにSU-MIMO技術が用いられる適用シナリオと、無線ローカルエリアネットワークのダウンリンクにおいてMU-MIMO技術及びSU-MIMO技術が用いられる適用シナリオにも適用することができる。無線ローカルエリアネットワークのダウンリンクにSU-MIMO技術が用いられる適用シナリオでは、データフレームを伝送する方法は、無線ローカルエリアネットワークのダウンリンクにおいてMU-MIMO技術が用いられる適用シナリオのデータフレームを送信する方法と同じである。方法の具体的なステップについては、本発明の実施形態に係る、無線ローカルエリアネットワークのダウンリンクにおいてMU-MIMO技術が用いられる適用シナリオにおいてデータフレームを伝送する方法の具体的なステップを参照することができる。この方法では、多重化空間ストリームの数Nssは、単一ユーザ多重化のデータストリーム数である。無線ローカルエリアネットワークのダウンリンクにおいてMU-MIMO及びSU-MIMO技術が用いられる適用シナリオでは、データフレームを送信する方法は、無線ローカルエリアネットワークのダウンリンクにおいてMU-MIMO技術が用いられる適用シナリオのデータフレームを伝送する方法と同じである。方法の具体的なステップについては、本発明の実施形態に係る、無線ローカルエリアネットワークのダウンリンクにおいてMU-MIMO技術が用いられる適用シナリオにおいてデータフレームを伝送する方法の具体的なステップを参照することができる。この方法では、多重化空間ストリームの数Nssは、マルチユーザ多重化のユーザ数と、単一ユーザ多重化のデータストリーム数である。ここでは詳細を説明しない。
【０２５９】
第２の適用シナリオでは、第１の装置がSTAであり、且つ第２の装置がAPである例を説明に用いる。無線ローカルエリアネットワークに用いられるMIMO技術は、具体的にはMU-MIMO技術であり、具体的な実施プロセスはアップリンクデータを伝送するプロセスに用いられてよい。本適用シナリオでは、複数のSTAは、APと同時に通信を行うことができる。空間ストリームは、各ユーザ（STA）によりAPに送信されるデータストリームを示す。本適用シナリオにおけるデータフレームを伝送する方法は図１３に示され、具体的には、本方法は以下のステップを含んでよい。
【０２６０】
Ｓ６０１．APが、事前構成されたマッピング関係テーブルに従ってLTFパラメータを取得する。
【０２６１】
APは更に、割り当てられるサブキャリアの開始位置Iを取得し、IをSTAに送信してよい。
【０２６２】
留意すべきこととして、APが事前構成されたマッピング関係テーブルに従ってLTFパラメータを取得するプロセスと、割り当てられたサブキャリアの開始位置Iを取得するプロセスについては、ステップＳ５０１の詳細な説明を参照することができる。ここでは詳細を説明しない。
【０２６３】
Ｓ６０２．APが、指示情報を搬送する第２のデータフレームをSTAに送信する。
【０２６４】
指示情報は、LTFシーケンスを生成するためのLTFパラメータを取得するために用いられる。
【０２６５】
留意すべきこととして、APは、まず、取得されたLTFパラメータ及びIに従ってLTFシーケンスを生成し、次いで、生成されたLTFシーケンス及び指示情報を第２のデータフレームに追加し、第２のデータフレームをSTAに送信してよく、或いは、指示情報を第２のデータフレームのデータフィールドに追加し、第２のデータフレームをSTAに送信してよい。本発明では、指示情報を送信する態様は限定されない。
【０２６６】
留意すべきこととして、APがまず取得されたLTFパラメータ及びIに従ってLTFシーケンスを生成するプロセスについては、本発明の実施形態における関連する内容の詳細な説明を参照することができる。ここでは詳細を説明しない。
【０２６７】
Ｓ６０３．STAが、APによって送信された、指示情報を搬送する第２のデータフレームを受信する。
【０２６８】
Ｓ６０４．STAが、指示情報と事前構成されたマッピング関係テーブルとに従ってLTFパラメータを取得し、割り当てられたサブキャリアの開始位置Iを取得する。
【０２６９】
STAは、APによって送信された明示的シグナリング（explict  signaling）に従って、空間ストリームに割り当てられるサブキャリアの開始位置Iを取得してよく、或いは、APによって送信された暗示的シグナリング（implicit  signaling）に従って、空間ストリームに割り当てられるサブキャリアの開始位置Iを取得してよい。STAが、APによって送信されたimplicit  signalingに従って、空間ストリームに割り当てられるサブキャリアの開始位置Iを取得するとき、STAによって取得された割り当てられたサブキャリアの開始位置Iは、受信された空間ストリームのデフォルトシーケンスである。
【０２７０】
留意すべきこととして、STAが指示情報と事前構成されたマッピング関係テーブルとに従ってLTFパラメータを取得するプロセスについては、ステップＳ５０６の詳細な説明を参照することができる。ここでは詳細を説明しない。
【０２７１】
Ｓ６０５．STAが、周波数ドメイン変換パラメータ及びIに従って、LTF基本シーケンスに対して周波数ドメイン変換を実行して、LTFシンボルを得る。
【０２７２】
STAがLTFパラメータ及びIを取得した後、STAは、取得されたLTFパラメータに含まれる周波数ドメイン変換パラメータと、割り当てられるサブキャリアの取得された開始位置Iとに従って、周波数ドメインFDMモード又は周波数ドメインCDMモードで、LTF基本シーケンスに対して周波数ドメイン変換を実行して、LTFシンボルを得てよい。
【０２７３】
STAが周波数ドメインFDMモードを用いてLTF基本シーケンスに対して周波数ドメイン変換を実行する場合、STAが、周波数ドメイン変換パラメータ及びIに従って、LTF基本シーケンスに対して周波数ドメイン変換を実行して、LTFシンボルを得ることは、具体的には、ステップＳ６０５ａ１〜Ｓ６０５ａ３を含んでよい。
【０２７４】
Ｓ６０５ａ１．STAが、Iから開始して、
【数２５】
0006454779.tif 000046
個のサブキャリアの間隔で、LTF基本シーケンス内の各エレメントを対応するサブキャリアにマッピングして、周波数ドメインLTFシーケンスを得る。
【０２７５】
LTF基本シーケンスはAPによって割り当てられる。STAは、APと情報を交換するプロセスにおいて、APによって割り当てられるLTF基本シーケンスを取得してよい。
【０２７６】
Ｓ６０５ａ２．STAが、周波数ドメインLTFシーケンスに対してSポイントIFFT変換を実行して、LTF基本シンボルを得る。
【０２７７】
Ｓ６０５ａ３．STAが、LTF基本シンボルをCPと組み合わせて、LTFシンボルを生成する。
【０２７８】
STAがLTF基本シーケンスに対して周波数ドメイン変換を実行するために周波数ドメインCDMモードを用いるとき、STAが、周波数ドメイン変換パラメータ及びIに従って、LTF基本シーケンスに対して周波数ドメイン変換を実行して、LTFシンボルを得ることは、具体的には、ステップＳ６０５ｂ１〜Ｓ６０５ｂ４を含んでよい。
【０２７９】
Ｓ６０５ｂ１．STAが、Mに従って、LTF基本シーケンス内の各エレメントに対してスペクトラム拡散処理を実行して、LTFスペクトラム拡散シーケンスを得る。
【０２８０】
Ｓ６０５ｂ２．STAが、Iから開始して、LTFスペクトラム拡散シーケンスの各エレメントを対応するサブキャリアにマッピングして、周波数ドメインLTFシーケンスを得る。
【０２８１】
Ｓ６０５ｂ３．STAが、周波数ドメインLTFシーケンスに対してSポイントIFFT変換を実行して、LTF基本シンボルを得る。
【０２８２】
Ｓ６０５ｂ４．STAが、LTF基本シンボルをCPと組み合わせて、LTFシンボルを生成する。
【０２８３】
STAがLTFシンボルを得た後、STAは、時間ドメイン変換パラメータに従って、LTFシンボルに対して時間ドメイン変換を実行して、LTFシーケンスを得てよい。具体的には、ステップＳ６０６が含まれてよい。
【０２８４】
Ｓ６０６．STAが、Nに従って、LTFシンボルに対してスペクトラム拡散処理を実行して、LTFシーケンスを生成する。
【０２８５】
留意すべきこととして、STAが周波数ドメイン変換パラメータ及びIに従って、LTF基本シーケンスに対して周波数ドメインFDM変換を実行するプロセスの詳細な説明、すなわちステップＳ６０５ａ１〜Ｓ６０５ａ３については、本発明の実施形態のステップＳ５０２ａ１〜Ｓ５０２ａ３の詳細な説明を参照することができる。STAが周波数ドメイン変換パラメータ及びIに従って、LTF基本シーケンスに対して周波数ドメインCDM変換を実行するプロセスの詳細な説明、すなわち、ステップＳ６０５ｂ１〜Ｓ６０５ｂ４については、本発明の実施形態のステップＳ５０２ｂ１〜Ｓ５０２ｂ４の詳細な説明を参照することができる。STAが時間ドメイン変換パラメータに従って、LTFシンボルに対して時間ドメイン変換を実行するプロセスの詳細な説明、すなわちステップＳ６０６については、本発明の実施形態のステップＳ５０３の詳細な説明を参照することができる。唯一の違いは、プロセスがSTAによって実行される点である。ここでは詳細を説明しない。
【０２８６】
要約すると、M個の空間ストリームは、異なるサブキャリアを用いることにより周波数ドメインで区別することができ、異なるスペクトラム拡散シーケンスを用いることによりN個の空間ストリームを時間ドメインで区別することができるので、M＊N個の空間ストリームは、周波数ドメイン変換及び時間ドメイン変換によって区別することができる。
【０２８７】
Ｓ６０７．STAが、LTFシーケンスを第１のデータフレームに追加し、第１のデータフレームをAPに送信する。
【０２８８】
APがステップＳ６０１においてLTFパラメータを取得したので、STAは、LTFシーケンスを第１のデータフレームに追加し、第１のデータフレームをAPに送信すればよく、LTFパラメータを取得するための指示情報をAPに通知する必要はない。
【０２８９】
Ｓ６０８．APが、STAによって送信された、LTFシーケンスを搬送する第１のデータフレームを受信する。
【０２９０】
APが、STAによって送信された、LTFシーケンスを搬送する第１のデータフレームを受信した後、APは、APに記憶されているLTFパラメータを直接取得し、取得したLTFパラメータに含まれる時間ドメイン変換パラメータに従って、LTFシーケンスに対して時間ドメイン逆変換を実行して、LTFシンボルを得る。具体的には、ステップＳ６０９が含まれてよい。
【０２９１】
Ｓ６０９．APが、Nに従って、LTFシーケンスに対して逆拡散処理を実行して、LTFシンボルを得る。
【０２９２】
Ｓ６１０．APが、周波数ドメイン変換パラメータ及びIに従って、LTFシンボルに対して周波数ドメイン逆変換を実行して、LTF基本シーケンスを得る。
【０２９３】
APが、時間ドメイン変換パラメータに従って、LTFシーケンスに対して時間ドメイン逆変換を実行してLTFシンボルを得た後、APは、割り当てられたサブキャリアの開始位置Iを取得し、そして周波数ドメイン変換パラメータ及びIに従って、周波数ドメインFDMモード又は周波数ドメインCDMモードで、LTFシンボルに対して周波数ドメイン逆変換を実行して、LTF基本シーケンスを得る。
【０２９４】
STAがLTF基本シーケンスに対して周波数ドメイン変換を実行してLTFシンボルを得るために周波数ドメインFDMモードを用いるとき、APは、周波数ドメインFDMモードを用いて、LTFシンボルに対して周波数ドメイン逆変換を実行してよい。APが周波数ドメインFDMモードを用いてLTFシンボルに対して周波数ドメイン逆変換を実行するとき、APが、周波数ドメイン変換パラメータ及びIに従って、LTFシンボルに対して周波数ドメイン逆変換を実行して、LTF基本シーケンスを得ることは、具体的には、ステップＳ６１０ａ１〜Ｓ６１０ａ３を含んでよい。
【０２９５】
Ｓ６１０ａ１．APが、LTFシンボルに従ってLTF基本シンボルを決定する。
【０２９６】
Ｓ６１０ａ２．APが、LTF基本シンボルに対してSポイントFFT変換を実行して、周波数ドメインLTFシーケンスを得る。
【０２９７】
Ｓ６１０ａ３．APが、Iから開始して、
【数２６】
0006454779.tif 000047
個のサブキャリアの間隔で、周波数ドメインLTFシーケンスに従ってLTF基本シーケンスを抽出する。
【０２９８】
STAがLTF基本シーケンスに対して周波数ドメイン変換を実行してLTFシンボルを得るために周波数ドメインCDMモードを用いるとき、APは、周波数ドメインCDMモードを用いて、LTFシンボルに対して周波数ドメイン逆変換を実行してよい。APが周波数ドメインCDMモードを用いて、LTFシンボルに対して周波数ドメイン逆変換を実行するとき、APが、周波数ドメイン変換パラメータ及びIに従って、LTFシンボルに対して周波数ドメイン逆変換を実行して、LTF基本シーケンスを得ることは、具体的には、ステップＳ６１０ｂ１〜Ｓ６１０ｂ４を含んでよい。
【０２９９】
Ｓ６１０ｂ１．APが、LTFシンボルに従ってLTF基本シンボルを決定する。
【０３００】
Ｓ６１０ｂ２．APが、LTF基本シンボルに対してSポイントFFT変換を実行して、周波数ドメインLTFシーケンスを得る。
【０３０１】
Ｓ６１０ｂ３．APが、Iから開始して、周波数ドメインLTFシーケンスに従って、対応するサブキャリアからLTFスペクトラム拡散シーケンスを抽出する。
【０３０２】
Ｓ６１０ｂ４．APが、Mに従って、LTFスペクトラム拡散シーケンスに対して逆拡散処理を実行して、LTF基本シーケンスを得る。
【０３０３】
Ｓ６１１．APが、LTF基本シーケンスに従ってチャネル推定を実行する。
【０３０４】
留意すべきこととして、ステップＳ６０９〜Ｓ６１１の詳細な説明については、ステップＳ５０７〜Ｓ５０９の詳細な説明を参照することができる。唯一の違いは、プロセスがAPによって実行される点である。ここでは詳細を説明しない。
【０３０５】
留意すべきこととして、本発明の実施形態では、多重化空間ストリームの数Nssはマルチユーザ多重化のユーザ数である。
【０３０６】
第３の適用シナリオでは、第１の装置がSTAであり、且つ第２の装置がAPである例を説明に用いる。無線ローカルエリアネットワークに用いられるMIMO技術は、具体的にはSU-MIMO技術であり、具体的な実施プロセスはアップリンクデータを伝送するプロセスに用いられてよい。本適用シナリオでは、APとSTAとの間には複数の空間ストリームが存在し、空間ストリームはAPとSTAとの間のデータストリームを指す。本適用シナリオにおけるデータフレームを伝送する方法は図１４に示され、具体的には、本方法は以下のステップを含んでよい。
【０３０７】
Ｓ７０１．STAがLTFパラメータを取得し、割り当てられるサブキャリアの開始位置Iを取得する。
【０３０８】
周波数ドメインにおける割り当てられたサブキャリアの開始位置Iを取得するプロセスは、STAにより割り当てによって取得することであってよい。具体的な取得プロセスは以下のとおりである。STAが、実際の適用シナリオに従って、各空間ストリームにサブキャリアの開始位置Iを割り当てる。又は、STAが、各空間ストリームのシーケンスに従って、空間ストリームのシーケンスと同じシーケンスのサブキャリアの開始位置Iを各空間ストリームに割り当てる。
【０３０９】
Ｓ７０２．STAが、周波数ドメイン変換パラメータ及びIに従って、LTF基本シーケンスに対して周波数ドメイン変換を実行して、LTFシンボルを得る。
【０３１０】
STAがLTFパラメータと割り当てられたサブキャリアの開始位置Iとを取得した後、STAは、取得されたLTFパラメータに含まれる周波数ドメイン変換パラメータと、割り当てられるサブキャリアの取得された開始位置Iとに従って、周波数ドメインFDMモード又は周波数ドメインCDMモードで、LTF基本シーケンスに対して周波数ドメイン変換を実行して、LTFシンボルを得てよい。
【０３１１】
STAが周波数ドメインFDMモードを用いてLTF基本シーケンスに対して周波数ドメイン変換を実行する場合、STAが、周波数ドメイン変換パラメータ及びIに従って、LTF基本シーケンスに対して周波数ドメイン変換を実行して、LTFシンボルを得ることは、具体的には、ステップＳ７０２ａ１〜Ｓ７０２ａ３を含んでよい。
【０３１２】
Ｓ７０２ａ１．STAが、Iから開始して、
【数２７】
0006454779.tif 000048
個のサブキャリアの間隔で、LTF基本シーケンス内の各エレメントを対応するサブキャリアにマッピングして、周波数ドメインLTFシーケンスを得る。
【０３１３】
LTF基本シーケンスはSTAによって割り当てられる。STAにおいて事前構成されたマッピング関係テーブルが方式１を採用する場合、STAは、記憶されたLTF基本シーケンスを直接取得する。STAにおいて事前構成されたマッピング関係テーブルが、方式２、方式３又は方式４のいずれかを採用する場合、STAがLTFパラメータを取得した後、STAは、LTFパラメータに含まれる周波数ドメイン変換パラメータLに従って、予め記憶されたLTF基本シーケンスから使用する必要のあるＴＦ基本シーケンスを選択してよい。例えば、STAによって取得されたLTFパラメータに含まれる周波数ドメイン変換パラメータLが５６であるとき、Lに従って選択されるLTF基本シーケンスは、
LTF基本シーケンス=｛1  1  LTFleft  0  LTFright  -1  -1｝
であってよい。式中、LTFleft及びLTFrightに含まれるエレメントの数は、両方とも２６である。
【０３１４】
Ｓ７０２ａ２．STAが、周波数ドメインLTFシーケンスに対してSポイントIFFT変換を実行して、LTF基本シンボルを得る。
【０３１５】
Ｓ７０２ａ３．STAが、LTF基本シンボルをCPと組み合わせて、LTFシンボルを生成する。
【０３１６】
STAがLTF基本シーケンスに対して周波数ドメイン変換を実行するために周波数ドメインCDMモードを用いるとき、STAが、周波数ドメイン変換パラメータ及びIに従って、LTF基本シーケンスに対して周波数ドメイン変換を実行して、LTFシンボルを得ることは、具体的には、ステップＳ７０２ｂ１〜Ｓ７０２ｂ４を含んでよい。
【０３１７】
Ｓ７０２ｂ１．STAが、Mに従って、LTF基本シーケンス内の各エレメントに対してスペクトラム拡散処理を実行して、LTFスペクトラム拡散シーケンスを得る。
【０３１８】
Ｓ７０２ｂ２．STAが、Iから開始して、LTFスペクトラム拡散シーケンスの各エレメントを対応するサブキャリアにマッピングして、周波数ドメインLTFシーケンスを得る。
【０３１９】
Ｓ７０２ｂ３．STAが、周波数ドメインLTFシーケンスに対してSポイントIFFT変換を実行して、LTF基本シンボルを得る。
【０３２０】
Ｓ７０２ｂ４．STAが、LTF基本シンボルをCPと組み合わせて、LTFシンボルを生成する。
【０３２１】
STAがLTFシンボルを得た後、STAは、時間ドメイン変換パラメータに従って、LTFシンボルに対して時間ドメイン変換を実行して、LTFシーケンスを得てよい。具体的には、ステップＳ７０３が含まれてよい。
【０３２２】
Ｓ７０３．STAが、Nに従って、LTFシンボルに対してスペクトラム拡散処理を実行して、LTFシーケンスを得る。
【０３２３】
要約すると、M個の空間ストリームは、異なるサブキャリアを用いることにより周波数ドメインで区別することができ、異なるスペクトラム拡散シーケンスを用いることによりN個の空間ストリームを時間ドメインで区別することができるので、M＊N個の空間ストリームは、周波数ドメイン変換及び時間ドメイン変換によって区別することができる。
【０３２４】
APは、LTF基本シーケンスを得るためにLTFシーケンスを解析する必要があるので、APは、LTFシーケンスを生成するためにSTAによって用いられるLTFパラメータを学習する必要がある。シグナリングオーバヘッドを低減するために、STAは、LTFパラメータを取得するための指示情報をAPに通知してよい。したがって、STAは、LTFシーケンスを第１のデータフレームに追加し、第１のデータフレームをAPに送信する。具体的には、以下のステップＳ７０４が含まれてよい。
【０３２５】
Ｓ７０４．STAが、LTFシーケンス及び指示情報を第１のデータフレームに追加し、第１のデータフレームをAPに送信する。
【０３２６】
Ｓ７０５．APが、STAによって送信された、LTFシーケンス及び指示情報を搬送する第１のデータフレームを受信する。
【０３２７】
Ｓ７０６．APが、指示情報と事前構成されたマッピング関係テーブルとに従ってLTFパラメータを取得し、割り当てられたサブキャリアの開始位置Iを取得する。
【０３２８】
APは、STAによって送信されたexplict  signalingに従って、空間ストリームに割り当てられるサブキャリアの開始位置Iを取得してよく、或いは、STAによって送信されたimplicit  signalingに従って、空間ストリームに割り当てられるサブキャリアの開始位置Iを取得してよい。APが、STAによって送信されたimplicit  signalingに従って、空間ストリームに割り当てられるサブキャリアの開始位置Iを取得するとき、APによって取得された割り当てられたサブキャリアの開始位置Iは、受信された空間ストリームのデフォルトシーケンスである。
【０３２９】
マッピング関係テーブルは、具体的には、以下の方式のうちいずれか１つの方式で形成されてよい。
【０３３０】
方式１：マッピング関係テーブルは、多重化空間ストリームの数Nssと、APのタイプと、NssとAPのタイプとに対応するパラメータとを含む。
【０３３１】
多重化空間ストリームの数Nssは、単一ユーザ多重化のデータストリーム数である。
【０３３２】
方式２：マッピング関係テーブルは、多重化空間ストリームの数Nssと、APが配置された環境のタイプと、ユーザの数NssとAPが配置された環境のタイプとに対応するパラメータとを含む。
【０３３３】
方式３：マッピング関係テーブルは、多重化空間ストリームの数Nssと、Nssに対応するパラメータとを含む。
【０３３４】
方式４：マッピング関係テーブルは、多重化空間ストリームの数Nssと、MCS特性情報と、Nss及びMCS特性情報に対応するパラメータとを含む。
【０３３５】
APにおいて事前構成されたマッピング関係テーブルの形成方式が方式１であるとき、指示情報がNssを含む場合、APが指示情報と事前構成されたマッピング関係テーブルとに従ってLTFパラメータを取得することは、APが、NssとAPのタイプとに従って、NssとAPのタイプとに対応するパラメータをLTFパラメータとして用いること、を含んでよい。
【０３３６】
APにおいて事前構成されたマッピング関係テーブルの形成方式が方式２であるとき、指示情報がNssを含む場合、APが指示情報と事前構成されたマッピング関係テーブルとに従ってLTFパラメータを取得することは、APが、NssとAPが配置された環境のタイプとに従って、NssとAPが配置された環境のタイプとに対応するパラメータをLTFパラメータとして用いること、を含んでよい。
【０３３７】
APにおいて事前構成されたマッピング関係テーブルの形成方式が方式３であるとき、第１の可能な実施方式では、指示情報がNssを含む場合、APが指示情報と事前構成されたマッピング関係テーブルとに従ってLTFパラメータを取得することは、APが、Nssに従って、Nssに対応するパラメータをLTFパラメータとして用いること、を含んでよい。
【０３３８】
第２の可能な実施方式では、指示情報がLTFシーケンスに含まれるLTFシンボルの数Nを含むとき、APが指示情報と事前構成されたマッピング関係テーブルとに従ってLTFパラメータを取得することは、APが、CPの長さに従ってサブキャリア数Sを決定し、それからN及びSに従ってNssを決定し、更にNssに従って、Nssに対応するパラメータがLTFパラメータであることを決定すること、を含んでよい。
【０３３９】
留意すべきこととして、APによりCPの長さに従ってサブキャリア数Sを決定する方法については、STAによりCPの長さに従ってサブキャリア数Sを決定する方法を参照することができる。ここでは詳細を説明しない。
【０３４０】
APにおいて事前構成されたマッピング関係テーブルの形成方式が方式４であるとき、指示情報はNss及びMCS特性情報を含むとき、APが指示情報と事前構成されたマッピング関係テーブルとに従ってLTFパラメータを取得することは、APが、Nss及びMCS特性情報に従って、Nss及びMCS特性情報に対応するパラメータをLTFパラメータとして用いること、を含んでよい。
【０３４１】
APがLTFパラメータと割り当てられたサブキャリアの開始位置Iとを取得した後、APは、時間ドメイン変換パラメータに従って、LTFシーケンスに対して時間ドメイン逆変換を実行して、LTFシンボルを得る。具体的には、ステップＳ７０７が含まれてよい。
【０３４２】
Ｓ７０７．APが、Nに従って、LTFシーケンスに対して逆拡散処理を実行して、LTFシンボルを得る。
【０３４３】
Ｓ７０８．APが、周波数ドメイン変換パラメータ及びIに従って、LTFシンボルに対して周波数ドメイン逆変換を実行して、LTF基本シーケンスを得る。
【０３４４】
APが時間ドメイン変換パラメータに従って、LTFシーケンスに対して時間ドメイン逆変換を実行して、LTFシンボルを得た後、APは、周波数ドメイン変換パラメータ及びIに従って、周波数ドメインFDMモード又は周波数ドメインCDMモードで、LTFシンボルに対して周波数ドメイン逆変換を実行して、LTF基本シーケンスを得てよい。
【０３４５】
STAがLTF基本シーケンスに対して周波数ドメイン変換を実行してLTFシンボルを得るために周波数ドメインFDMモードを用いる場合、APは、周波数ドメインFDMモードを用いて、LTFシンボルに対して周波数ドメイン逆変換を実行してよい。APが周波数ドメインFDMモードを用いて、LTFシンボルに対して周波数ドメイン逆変換を実行する場合、APが、周波数ドメイン変換パラメータ及びIに従って、LTFシンボルに対して周波数ドメイン逆変換を実行して、LTF基本シーケンスを得ることは、具体的には、ステップＳ７０８ａ１〜Ｓ７０８ａ３を含んでよい。
【０３４６】
Ｓ７０８ａ１．APが、LTFシンボルに従ってLTF基本シンボルを決定する。
【０３４７】
Ｓ７０８ａ２．APが、LTF基本シンボルに対してSポイントFFT変換を実行して、周波数ドメインLTFシーケンスを得る。
【０３４８】
Ｓ７０８ａ３．APが、Iから開始して、
【数２８】
0006454779.tif 000049
個のサブキャリアの間隔で、周波数ドメインLTFシーケンスに従ってLTF基本シーケンスを抽出する。
【０３４９】
STAがLTF基本シーケンスに対して周波数ドメイン変換を実行してLTFシンボルを得るために周波数ドメインCDMモードを用いる場合、APは、周波数ドメインCDMモードを用いて、LTFシンボルに対して周波数ドメイン逆変換を実行してよい。APが周波数ドメインCDMモードを用いて、LTFシンボルに対して周波数ドメイン逆変換を実行する場合、APが、周波数ドメイン変換パラメータ及びIに従って、LTFシンボルに対して周波数ドメイン逆変換を実行して、LTF基本シーケンスを得ることは、具体的には、ステップＳ７０８ｂ１〜Ｓ７０８ｂ４を含んでよい。
【０３５０】
Ｓ７０８ｂ１．APが、LTFシンボルに従ってLTF基本シンボルを決定する。
【０３５１】
Ｓ７０８ｂ２．APが、LTF基本シンボルに対してSポイントFFT変換を実行して、周波数ドメインLTFシーケンスを得る。
【０３５２】
Ｓ７０８ｂ３．APが、Iから開始して、周波数ドメインLTFシーケンスに従って、対応するサブキャリアからLTFスペクトラム拡散シーケンスを抽出する。
【０３５３】
Ｓ７０８ｂ４．APが、Mに従って、LTFスペクトラム拡散シーケンスに対して逆拡散処理を実行して、LTF基本シーケンスを得る。
【０３５４】
Ｓ７０９．APが、LTF基本シーケンスに従ってチャネル推定を実行する。
【０３５５】
留意すべきこととして、ステップＳ７０１〜Ｓ７０９の詳細な説明については、ステップＳ５０１〜Ｓ５０９の詳細な説明を参照することができる。ここでは詳細を説明しない。
【０３５６】
好ましくは、無線ローカルエリアネットワークで用いられるMIMO技術がMU-MIMO及びSU-MIMO技術である場合、適用シナリオでは、APは複数のSTAと同時に通信を行い、各STAとAPとの間の通信のプロセスにおいて複数の空間ストリームが存在する。空間ストリームは、APとSTAとの間で送信される全てのユーザのデータストリームを含む。APと同じSTAとの間で伝送される空間ストリームについては、同じSTAとAPとの間で伝送される空間ストリームには同じ水晶発振器が用いられる。すなわち、同じSTAとAPとの間で伝送される空間ストリームの周波数オフセットは同じであり、時間ドメインにおける直交性は維持することができる。したがって、時間ドメインCDMモードを用いて、同じSTAとAPとの間で送信された空間ストリームを区別することができる。しかしながら、APと異なるSTAとの間で伝送される空間ストリームについては、APと異なるSTAとの間で伝送される空間ストリームの周波数オフセットが異なり、時間ドメインにおいて直交性を維持することは容易ではない。したがって、周波数ドメインFDMモード又は周波数ドメインCDMモードは、APと異なるSTAとの間で伝送される空間ストリームを可能な限り区別するために用いることができる。時間ドメインにおけるCDM直交性が保証されることを前提として、シグナリングオーバヘッドを低減するために、LTFシーケンスの長さを短縮する必要がある。したがって、マッピング関係テーブルのN、M、S、L等のパラメータを適切に調整する必要がある。例えば、APが２つのSTAと同時に通信を行う場合、各STAとAPとの間の通信のプロセスには４つの空間ストリームが存在する。上記規則に従って、空間ストリームを区別するためのサブキャリア数Mの値は２であり、LTFシーケンスに含まれるLTFシンボルの数Nが４であると決定されてよい。APが４つのSTAと同時に通信を行う場合、各STAとAPとの間の通信のプロセスにおいて２つの空間ストリームが存在する。上記規則に従って、空間ストリームを区別するためのサブキャリア数Mの値は４であり、LTFシーケンスに含まれるLTFシンボルの数Nが２であると決定されてよい。
【０３５７】
本発明に係るデータフレームを伝送する方法によれば、第１の装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得て、LTFパラメータに含まれる時間ドメイン変換パラメータに従って、LTFシンボルに対して時間ドメイン変換を実行して、LTFシーケンスを得て、そして得られたLTFシーケンスを第１のデータフレームに追加し、第１のデータフレームを第２の装置に送信する。それにより、第２の装置はLTFシーケンスに従ってLTF基本シーケンスを決定し、LTF基本シーケンスに従ってチャネル推定を実行する。第１の装置がLTFシーケンスを生成するプロセスでは、空間ストリームは周波数ドメインと時間ドメインで区別される。よって、LTFシーケンスに含まれるLTFシンボルの数が減少する。したがって、シグナリングオーバヘッドが減少し、データフィールドの受信遅延が低減される。加えて、データフレームを送信するプロセスにおいてLTFシーケンスに含まれるLTFシンボルが減少するので、時間ドメインのシンボル間のクロストークの確率が低減され、したがって、ドップラ周波数シフト効果がより良好に抑制される。
【０３５８】
本発明の別の実施形態は伝送装置を提供し、これは多入力多出力（MIMO）技術を用いる無線ローカルエリアネットワークシステムに適用される。図１５に示されるように、本伝送装置はプロセッサ８１及び送信器８２を備える。
【０３５９】
プロセッサ８１は、ロング・トレーニング・フィールド（LTF）パラメータを取得し、割り当てられるサブキャリアの開始位置Iを取得するように構成され、LTFパラメータは、LTFシーケンスを生成するために必要な周波数ドメイン変換パラメータ及び時間ドメイン変換パラメータを含み、且つ、周波数ドメイン変換パラメータ及びIに従って、LTF基本シーケンスに対して周波数ドメイン変換を実行して、LTFシンボルを得て、時間ドメイン変換パラメータに従って、LTFシンボルに対して時間ドメイン変換を実行して、LTFシーケンスを得るように構成される。
【０３６０】
送信器８２は、プロセッサ８１によって得られたLTFシーケンスを第１のデータフレームに追加し、第１のデータフレームを第２の装置に送信するように構成される。第２の装置は、LTFシーケンスに従ってLTF基本シーケンスを決定し、LTF基本シーケンスに従ってチャネル推定を実行する。
【０３６１】
本発明の実施形態では、更に任意に、周波数ドメイン変換パラメータは、空間ストリームを区別するためのサブキャリア数Mと、LTF基本シーケンスのエレメントの数Lと、サブキャリア数Sとを含む。
【０３６２】
プロセッサ８１は、具体的には、Iから開始して、
【数２９】
0006454779.tif 000050
個のサブキャリアの間隔で、LTF基本シーケンス内の各エレメントを対応するサブキャリアをマッピングして、周波数ドメインLTFシーケンスを得るように構成され、
【数３０】
0006454779.tif 000051
は切捨てを示し、且つ、周波数ドメインLTFシーケンスに対してSポイント逆高速フーリエ変換（IFFT変換）を実行して、LTF基本シンボルを得て、LTF基本シンボルをサイクリックプレフィックス（CP）と組み合わせて、LTFシンボルを生成するように構成される。
【０３６３】
本発明の実施形態では、更に任意に、周波数ドメイン変換パラメータは、空間ストリームを区別するためのサブキャリア数Mと、LTF基本シーケンスのエレメントの数Lと、サブキャリア数Sとを含む。
【０３６４】
プロセッサ８１は、具体的には、Mに従って、LTF基本シーケンス内の各エレメントに対してスペクトラム拡散処理を実行して、LTFスペクトラム拡散シーケンスを得るように構成され、LTFスペクトラム拡散シーケンスはM＊L個のエレメントを含み、且つ、Iから開始して、LTFスペクトラム拡散シーケンスの各エレメントを対応するサブキャリアにマッピングして、周波数ドメインLTFシーケンスを得て、周波数ドメインLTFシーケンスに対してSポイントIFFT変換を実行して、LTF基本シンボルを得て、LTF基本シンボルをCPと組み合わせて、LTFシンボルを生成するように構成される。
【０３６５】
本発明の実施形態では、更に任意に、時間ドメイン変換パラメータは、LTFシーケンスに含まれるLTFシンボルの数Nを含む。
【０３６６】
プロセッサ８１は、具体的には、Nに従って、LTFシンボルにスペクトラム拡散処理を実行してLTFシーケンスを生成するように構成される。
【０３６７】
本発明の実施形態では、更に任意に、伝送装置はステーションSTAであり、且つ第２の装置はアクセスポイントAPである。
【０３６８】
本伝送装置は更に、受信器８３を備える。
【０３６９】
受信器８３は、第２の装置によって送信される、指示情報を搬送する第２のデータフレームを受信するように構成される。指示情報はLTFパラメータを示すのに用いられる。
【０３７０】
プロセッサ８１は、具体的には、指示情報と事前構成されたマッピング関係テーブルとに従って、LTFパラメータを取得するように構成される。
【０３７１】
本発明の実施形態では、更に任意に、マッピング関係テーブルは、多重化空間ストリームの数Nssと、APのタイプと、NssとAPのタイプとに対応するパラメータとを含む。
【０３７２】
指示情報がNssを含み、且つ伝送装置がAPにアクセスするときにAPのタイプを取得した場合、プロセッサ８１は、具体的には、NssとAPのタイプとに従って、NssとAPのタイプとに対応するパラメータをLTFパラメータとして用いるように構成される。
【０３７３】
指示情報はNss及びサブキャリア数Sを含み、且つ伝送装置がAPにアクセスするときにAPのタイプを取得しなかった場合、プロセッサ８１は、具体的には、Sに従ってAPのタイプを決定するように構成され、SとAPのタイプとの間には対応関係が存在し、且つ、NssとAPのタイプとに従って、NssとAPのタイプとに対応するパラメータをLTFパラメータとして用いるように構成される。
【０３７４】
指示情報がNssを含み、且つ伝送装置がAPにアクセスするときにAPのタイプを取得しなかった場合、プロセッサ８１は、具体的には、CPの長さに従ってSを決定し、Sに従ってAPのタイプを決定するように構成され、NssとAPのタイプとに従って、NssとAPのタイプとに対応するパラメータをLTFパラメータとして用いるように構成される。
【０３７５】
本発明の実施形態では、更に任意に、マッピング関係テーブルは、多重化空間ストリームの数Nssと、APが配置された環境のタイプと、NssとAPが配置された環境のタイプとに対応するパラメータとを含む。指示情報はNssを含む。伝送装置は、APにアクセスするとき、APが配置された環境のタイプを取得している。
【０３７６】
プロセッサ８１は、具体的には、NssとAPが配置された環境のタイプとに従って、NssとAPが配置された環境のタイプとに対応するパラメータをLTFパラメータとして用いるように構成される。
【０３７７】
本発明の実施形態では、更に任意に、マッピング関係テーブルは、多重化空間ストリームの数Nssと、Nssに対応するパラメータとを含む。
【０３７８】
指示情報がNssを含む場合、プロセッサ８１は、具体的には、Nssに従って、Nssに対応するパラメータがLTFパラメータであると決定するように構成される。
【０３７９】
指示情報が、LTFシーケンスに含まれるLTFシンボルの数Nを含む場合、プロセッサ８１は、具体的には、CPの長さに従ってサブキャリア数Sを決定し、N及びSに従ってNssを決定し、Nssに従って、Nssに対応するパラメータがLTFパラメータであると決定するように構成される。
【０３８０】
本発明の実施形態では、更に任意に、マッピング関係テーブルは、多重化空間ストリームの数Nssと、変調符号化方式（MCS）特性情報と、Nss及びMCS特性情報に対応するパラメータとを含む。指示情報はNss及びMCS特性情報を含む。
【０３８１】
プロセッサ８１は、具体的には、Nss及びMCS特性情報に従って、Nss及びMCS特性情報に対応するパラメータをLTFパラメータとして用いるように構成される。
【０３８２】
本発明の実施形態では、更に任意に、伝送装置はAPであり、且つ第２の装置はSTAである。又は、伝送装置がSTAであり、且つ第２の装置がAPである。
【０３８３】
プロセッサ８１は、具体的には、事前構成されたマッピング関係テーブルに従って、LTFパラメータを取得するように構成される。
【０３８４】
送信器８２は、具体的には、LTFシーケンス及び指示情報を第１のデータフレームに追加し、第１のデータフレームを第２の装置に送信するように構成される。それにより、第２の装置は、LTFシーケンス及び指示情報に従ってLTF基本シーケンスを決定する。
【０３８５】
本発明の実施形態では、更に任意に、マッピング関係テーブルは、多重化空間ストリームの数Nssと、APのタイプと、NssとAPのタイプとに対応するパラメータとを含む。伝送装置がSTAである場合、伝送装置は、APにアクセスするときにAPのタイプを取得している。
【０３８６】
プロセッサ８１は、具体的には、NssとAPのタイプとに従って、NssとAPのタイプとに対応するパラメータをLTFパラメータとして用いるように構成される。
【０３８７】
伝送装置がSTAであり、且つ第２の装置がAPである場合、指示情報はNssを含む。
【０３８８】
伝送装置がAPであり、且つ第２の装置がSTAである場合、指示情報はNssを含む。又は、指示情報はNss及びサブキャリア数Sを含む。
【０３８９】
本発明の実施形態では、更に任意に、マッピング関係テーブルは、多重化空間ストリームの数Nssと、APが配置された環境のタイプと、NssとAPが配置された環境のタイプとに対応するパラメータとを含む。伝送装置がSTAである場合、伝送装置は、APにアクセスするときにAPが配置された環境のタイプを取得している。
【０３９０】
プロセッサ８１は、具体的には、NssとAPが配置された環境のタイプとに従って、NssとAPが配置された環境のタイプとに対応するパラメータをLTFパラメータとして用いるように構成される。指示情報はNssを含む。
【０３９１】
本発明の実施形態では、更に任意に、マッピング関係テーブルは、多重化空間ストリームの数Nssと、Nssに対応するパラメータとを含む。
【０３９２】
プロセッサ８１は、具体的には、Nssに従って、Nssに対応するパラメータがLTFパラメータであると決定するように構成される。指示情報はNssを含む。又は、指示情報は、LTFシーケンスに含まれるLTFシンボルの数Nを含む。
【０３９３】
本発明の実施形態では、更に任意に、マッピング関係テーブルは、多重化空間ストリームの数Nssと、MCS特性情報と、Nss及びMCS特性情報に対応するパラメータとを含む。
【０３９４】
プロセッサ８１は、具体的には、Nss及びMCS特性情報に従って、Nss及びMCS特性情報に対応するパラメータをLTFパラメータとして用いるように構成される。指示情報はNss及びMCS特性情報を含む。
【０３９５】
本発明の実施形態では、更に任意に、多重化空間ストリームの数は、マルチユーザ多重化のユーザ数及び／又は単一ユーザ多重化のデータストリーム数を含む。
【０３９６】
留意すべきこととして、本発明の実施形態によって提供される伝送装置の各機能モジュールの具体的な作業プロセスについては、方法実施形態における対応するプロセスの詳細な説明を参照することができる。本発明の実施形態において、ここでは詳細な説明を省略する。
【０３９７】
本発明によって提供される伝送装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得て、LTFパラメータに含まれる時間ドメイン変換パラメータに従って、LTFシンボルに対して時間ドメイン変換を実行して、LTFシーケンスを得て、そして得られたLTFシーケンスを第１のデータフレームに追加し、第１のデータフレームを第２の装置に送信する。それにより、第２の装置は、LTFシーケンスに従ってLTF基本シーケンスを決定し、LTF基本シーケンスに従ってチャネル推定を実行する。伝送装置がLTFシーケンスを生成するプロセスでは、空間ストリームは周波数ドメインと時間ドメインで区別される。よって、LTFシーケンスに含まれるLTFシンボルの数が減少する。したがって、シグナリングオーバヘッドが減少し、データフィールドの受信遅延が低減される。加えて、データフレームを送信するプロセスにおいてLTFシーケンスに含まれるLTFシンボルが減少するので、時間ドメインのシンボル間のクロストークの確率が低減され、したがって、ドップラ周波数シフト効果がより良好に抑制される。
【０３９８】
本発明の別の実施形態は伝送装置を提供し、これは多入力多出力（MIMO）技術を用いる無線ローカルエリアネットワークシステムに適用される。図１６に示されるように、本伝送装置は受信器９１及びプロセッサ９２を備える。
【０３９９】
受信器９１は、第１の装置によって送信される、ロング・トレーニング・フィールド（LTF）シーケンスを搬送する第１のデータフレームを受信するように構成される。
【０４００】
プロセッサ９２は、受信器９１によって受信されたLTFシーケンスに従ってLTF基本シーケンスを決定し、LTF基本シーケンスに従ってチャネル推定を実行するように構成される。
【０４０１】
本発明の実施形態では、更に任意に、プロセッサ９２は更に、LTFシーケンスに従ってLTF基本シーケンスを決定する前に、LTFパラメータを取得し、割り当てられるサブキャリアの開始位置Iを取得するように構成される。LTFパラメータは、第１の装置によりLTFシーケンスを生成するために必要な周波数ドメイン変換パラメータ及び時間ドメイン変換パラメータを含む。
【０４０２】
プロセッサ９２は、具体的には、時間ドメイン変換パラメータに従って、LTFシーケンスに対して時間ドメイン逆変換を実行して、LTFシンボルを得て、周波数ドメイン変換パラメータ及びIに従って、LTFシンボルに対して周波数ドメイン逆変換を実行して、LTF基本シーケンスを得るように構成される。
【０４０３】
本発明の実施形態では、更に任意に、時間ドメイン変換パラメータは、LTFシーケンスに含まれるLTFシンボルの数Nを含む。
【０４０４】
プロセッサ９２は、具体的には、Nに従って、LTFシーケンスに対して逆拡散処理を実行して、LTFシンボルを得るように構成される。
【０４０５】
本発明の実施形態では、更に任意に、周波数ドメイン変換パラメータは、空間ストリームを区別するためのサブキャリア数Mと、LTF基本シーケンスのエレメントの数Lと、サブキャリア数Sとを含む。
【０４０６】
プロセッサ９２は、具体的には、LTFシンボルに従ってLTF基本シンボルを決定するように構成され、LTFシンボルはLTF基本シンボル及びサイクリックプレフィックス（CP）を含み、且つ、LTF基本シンボルに対してSポイント高速フーリエ変換（FFT変換）を実行して、周波数ドメインLTFシーケンスを得るように構成され、Iから開始して、
【数３１】
0006454779.tif 000052
個のサブキャリアの間隔で、周波数ドメインLTFシーケンスに従ってLTF基本シーケンスを抽出するように構成され、
【数３２】
0006454779.tif 000053
は切捨てを示す。
【０４０７】
本発明の実施形態では、更に任意に、周波数ドメイン変換パラメータは、空間ストリームを区別するためのサブキャリア数Mと、LTF基本シーケンスのエレメントの数Lと、サブキャリア数Sとを含む。
【０４０８】
プロセッサ９２は、具体的には、LTFシンボルに従ってLTF基本シンボルを決定するように構成され、LTFシンボルは、LTF基本シンボル及びCPを含み、且つ、LTF基本シンボルに対してSポイントFFT変換を実行して、周波数ドメインLTFシーケンスを得るように構成され、Iから開始して、周波数ドメインLTFシーケンスに従って、対応するサブキャリアからLTFスペクトラム拡散シーケンスを抽出するように構成され、LTFスペクトラム拡散シーケンスはM＊L個のエレメントを含み、且つ、Mに従って、LTFスペクトラム拡散シーケンスに対して逆拡散処理を実行して、LTF基本シーケンスを得るように構成される。
【０４０９】
本発明の実施形態では、更に任意に、第１の装置がステーション（STA）であり、伝送装置がアクセスポイント（AP）である。
【０４１０】
プロセッサ９２は更に、受信器９１が、第１の装置によって送信される、ロング・トレーニング・フィールド（LTF）シーケンスを搬送する第１のデータフレームを受信する前に、事前構成されたマッピング関係テーブルに従って、LTFパラメータを取得するように構成される。
【０４１１】
本伝送装置は更に送信器９３を備える。
【０４１２】
送信器９３は、指示情報を搬送する第２のデータフレームを第１の装置に送信するように構成される。指示情報はLTFパラメータを示す。
【０４１３】
本発明の実施形態では、更に任意に、マッピング関係テーブルは、多重化空間ストリームの数Nssと、APのタイプと、NssとAPのタイプとに対応するパラメータとを含む。
【０４１４】
プロセッサ９２は、具体的には、NssとAPのタイプとに従って、NssとAPのタイプとに対応するパラメータをLTFパラメータとして用いるように構成される。指示情報はNssを含む。又は、指示情報はNss及びサブキャリア数Sを含む。
【０４１５】
本発明の実施形態では、更に任意に、マッピング関係テーブルは、多重化空間ストリームの数Nssと、APが配置された環境のタイプと、NssとAPが配置された環境のタイプとに対応するパラメータとを含む。
【０４１６】
プロセッサ９２は、具体的には、NssとAPが配置された環境のタイプとに従って、NssとAPが配置された環境のタイプとに対応するパラメータをLTFパラメータとして用いるように構成される。指示情報はNssを含む。
【０４１７】
本発明の実施形態では、更に任意に、マッピング関係テーブルは、多重化空間ストリームの数Nssと、Nssに対応するパラメータとを含む。
【０４１８】
プロセッサ９２は、具体的には、Nssに従って、Nssに対応するパラメータがLTFパラメータであると決定するように構成される。指示情報はNssを含む。又は、指示情報は、LTFシーケンスに含まれるLTFシンボルの数Nを含む。
【０４１９】
本発明の実施形態では、更に任意に、マッピング関係テーブルは、多重化空間ストリームの数Nssと、MCS特性情報と、Nss及びMCS特性情報に対応するパラメータとを含む。
【０４２０】
プロセッサ９２は、具体的には、Nss及びMCS特性情報に従って、Nss及びMCS特性情報に対応するパラメータをLTFパラメータとして用いるように構成される。指示情報はNss及びMCS特性情報を含む。
【０４２１】
本発明の実施形態では、更に任意に、第１の装置がAPであり、伝送装置がSTAである。又は、第１の装置がSTAであり、伝送装置がAPである。
【０４２２】
受信器９１は、具体的には、第１の装置によって送信される、LTFシーケンス及び指示情報を搬送する第１のデータフレームを受信するように構成される。
【０４２３】
プロセッサ９２は、具体的には、受信器９１によって受信された指示情報と、事前構成されたマッピング関係テーブルとに従って、LTFパラメータを取得するように構成される。
【０４２４】
本発明の実施形態では、更に任意に、マッピング関係テーブルは、多重化空間ストリームの数Nssと、APのタイプと、NssとAPのタイプとに対応するパラメータとを含む。
【０４２５】
第１の装置がSTAであり、且つ伝送装置がAPである場合、指示情報はNssを含む。プロセッサ９２は、具体的には、NssとAPのタイプとに従って、NssとAPのタイプとに対応するパラメータをLTFパラメータとして用いるように構成される。
【０４２６】
第１の装置がAPであり、且つ伝送装置がSTAである場合、
指示情報がNssを含み、且つ伝送装置がAPにアクセスするときにAPのタイプを取得した場合、プロセッサ９２は、具体的には、NssとAPのタイプとに従って、NssとAPのタイプとに対応するパラメータをLTFパラメータとして用いるように構成される。又は、
指示情報はNss及びサブキャリア数Sを含み、且つ伝送装置がAPにアクセスするときにAPのタイプを取得しなかった場合、プロセッサ９２は、具体的には、Sに従ってAPのタイプを決定するように構成され、SとAPのタイプとの間には対応関係が存在し、NssとAPのタイプとに従って、NssとAPのタイプとに対応するパラメータをLTFパラメータとして用いるように構成される。又は、
指示情報がNssを含み、且つ伝送装置がAPにアクセスするときにAPのタイプを取得しなかった場合、プロセッサ９２は、具体的には、CPの長さに従ってSを決定し、Sに従ってAPのタイプを決定するように構成され、NssとAPのタイプとに従って、NssとAPのタイプとに対応するパラメータをLTFパラメータとして用いるように構成される。
【０４２７】
本発明の実施形態では、更に任意に、マッピング関係テーブルは、多重化空間ストリームの数Nssと、APが配置された環境のタイプと、NssとAPが配置された環境のタイプとに対応するパラメータとを含む。指示情報はNssを含む。伝送装置がSTAである場合、伝送装置は、APにアクセスするときにAPが配置された環境のタイプを取得している。
【０４２８】
プロセッサ９２は、具体的には、NssとAPが配置された環境のタイプとに従って、NssとAPが配置された環境のタイプとに対応するパラメータをLTFパラメータとして用いるように構成される。
【０４２９】
本発明の実施形態では、更に任意に、マッピング関係テーブルは、多重化空間ストリームの数Nssと、Nssに対応するパラメータとを含む。
【０４３０】
指示情報がNssを含む場合、プロセッサ９２は、具体的には、Nssに従って、Nssに対応するパラメータをLTFパラメータとして用いるように構成される。
【０４３１】
指示情報が、LTFシーケンスに含まれるLTFシンボルの数Nを含む場合、プロセッサ９２は、具体的には、CPの長さに従ってサブキャリア数Sを決定し、N及びSに従ってNssを決定し、Nssに従って、Nssに対応するパラメータがLTFパラメータであることを決定するように構成される。
【０４３２】
本発明の実施形態では、更に任意に、マッピング関係テーブルは、多重化空間ストリームの数Nssと、変調符号化方式（MCS）特性情報と、Nss及びMCS特性情報に対応するパラメータとを含む。指示情報は、Nss及びMCS特性情報を含む。
【０４３３】
プロセッサ９２は、具体的には、Nss及びMCS特性情報に従って、Nss及びMCS特性情報に対応するパラメータをLTFパラメータとして用いるように構成される。
【０４３４】
本発明の実施形態では、更に任意に、多重化空間ストリームの数は、マルチユーザ多重化のユーザ数及び／又は単一ユーザ多重化のデータストリーム数を含む。
【０４３５】
留意すべきこととして、本発明の実施形態によって提供される伝送装置の各機能モジュールの具体的な作業プロセスについては、方法実施形態の対応するプロセスの詳細な説明を参照することができる。本発明の実施形態において、ここでは詳細な説明を省略する。
【０４３６】
本発明によって提供される伝送装置によれば、第１の装置は、取得されたLTFパラメータに含まれる周波数ドメイン変換パラメータと、割り当てられるサブキャリアの取得された開始位置Iとに従って、LTF基本シーケンスに対して周波数ドメイン変換を実行して、LTFシンボルを得て、LTFパラメータに含まれる時間ドメイン変換パラメータに従って、LTFシンボルに対して時間ドメイン変換を実行して、LTFシーケンスを得て、そして得られたLTFシーケンスを第１のデータフレームに追加し、第１のデータフレームを伝送装置に送信する。それにより、伝送装置は、LTFシーケンスに従ってLTF基本シーケンスを決定し、LTF基本シーケンスに従ってチャネル推定を実行する。第１の装置がLTFシーケンスを生成するプロセスでは、空間ストリームは周波数ドメインと時間ドメインで区別される。よって、LTFシーケンスに含まれるLTFシンボルの数が減少する。したがって、シグナリングオーバヘッドが減少し、データフィールドの受信遅延が低減される。加えて、データフレームを送信するプロセスにおいてLTFシーケンスに含まれるLTFシンボルが減少するので、時間ドメインのシンボル間のクロストークの確率が低減され、したがって、ドップラ周波数シフト効果がより良好に抑制される。
【０４３７】
前述の実施方式の説明から、当業者であれば、式の機能に影響を与えることなく、各実施方式において式に異なる変形を加えることができることをはっきりと理解することができるであろう。例えば、切り捨ては、（切り上げ−１）に変更されてよいが、これは各実施方式でこれ以上説明しない。
【０４３８】
前述の実施方式の説明から、当業者であれば、説明を容易且つ簡潔にするために、前述の機能モジュールの分割は説明上の例としてのみ用いられることを明確に理解することができるであろう。実際の適用では、前述の機能は、異なる機能モジュールに割り当てることができ、要件に応じて実施することができる。すなわち、装置の内部構造は、上述した機能の全部又は一部を実現するために、異なる機能モジュールに分割される。
【０４３９】
本願で提供されるいくつかの実施形態において、開示された装置及び方法は、他の方式で実施され得ることを理解されたい。例えば、記載された装置の実施形態は単なる例示に過ぎない。例えば、モジュール又はユニットの分割は、論理的な機能分割に過ぎず、実際の実施では他の分割であってよい。例えば、複数のユニット又はコンポーネントを別の装置に組み合わせて、又は統合してよく、或いは一部の機能を無視してもよいし、実行しなくてもよい。加えて、表示又は議論された相互結合又は直接結合又は通信接続は、いくつかのインタフェースを用いて実施されてよい。装置又はユニット間の間接結合又は通信接続は、電子的、機械的その他の形態で実施されてよい。
【０４４０】
例えば、図１７ａに示すようなダウンリンク信号を伝送するためのシステムと、図１７ｂに示すようなアップリンク信号を伝送するためのシステムとを参照することができる。LTF送信モジュール（LTF  Transmitter）の具体的な構造については、図１８ａ及び図１８ｂを参照することができる。LTF受信モジュール（LTF  Reception）の具体的な構造については、図１９ａ及び図１９ｂを参照することができる。LTF送信モジュール及びLTF受信モジュールのプロセス又は動作原理については、図１０、図１３及び図１４に示される対応する内容の詳細な説明を参照することができる。ここでは詳細を説明しない。
【０４４１】
図１７ａ及び図１７ｂを参照すると、ＷｉＦｉシステム内のAP又はSTAは、時間ドメインのCDM  LTFパラメータと周波数ドメインのFDM／CDM  LTFパラメータとを取得するための制御モジュールを備えてよい。LTFパラメータは、LTFシーケンスを生成するために用いられる。APとSTAはLTFパラメータに関する情報を共有するので、送信側（AP又はSTA）の制御モジュールによって取得されたLTFパラメータに従ってLTFシーケンスが生成され、受信側（送信側がAPであるとき受信側はSTAであり、送信側がSTAであるとき受信側はAPである）は、制御メッセージ受信モジュール（Control  information  reception）によって取得されたLTFパラメータに従ってLTFシーケンスを受信する。複数ストリーム又は複数ユーザのチャネル推定は、時間ドメイン及び周波数ドメインのリソースを用いて識別される。
【０４４２】
図１７ａを参照する。ダウンリンクSU-MIMO又はMU-MIMOでは、AP端において、制御モジュール（Control  Unit）がLTFパラメータを設計又は取得し、LTF送信モジュール（LTF  transmitter）が、設計又は取得されたLTFパラメータに従ってLTFシーケンスを生成する。加えて、いくつかの設計又は取得されたパラメータは、制御メッセージ送信モジュール（Control  information  transmitter）によってSIG-Aに配置され、フレーミングモジュール（Frame  multiplexing）に入り、生成されたLTFシーケンスとダウンリンクデータと用いて、フレーム構造に応じてパケットフレームを構成する。無線周波数送信モジュール（ＴＸ）は、パケットフレームをSTAに送信する。STA側では、無線周波数受信モジュール（ＲＸ）がpacket  frameを受信し、制御メッセージ受信モジュール（Control  information  reception）がSIG-Aの情報を受信し、情報から、LTFシーケンスの設計又は取得されたパラメータを抽出する。次に、LTF受信モジュール（LTF  reception）は、LTFシーケンスの設計又は取得されたパラメータに従って、受信側STAに対応するLTF基本シーケンスを区別し、LTF基本シーケンスを用いてチャネル推定及びCFO推定を実行する（チャネル推定の実行は任意である）。
【０４４３】
図１７ｂを参照する。アップリンクMU-MIMOを例に挙げると、AP側の制御モジュール（Control  Unit）は、複数ユーザのLTFパラメータを統一的に設計又は取得する必要がある。LTF  transmitterは、設計又は取得されたLTFパラメータに従ってLTFシーケンスを生成する。加えて、いくつかの設計又は取得されたパラメータは、Control  information  transmitterによってSIG-A内に配置され、Frame  multiplexingモジュールに入り、フレーム構造に従ってダウンリンクデータによってpacket  frameを構成する。ＴＸはパケットフレームをSTAに送信する。STA側では、ＲＸがデータを受信し、Control  information  receptionがSIG-Aの情報を受信し、情報から、LTFシーケンスの設計又は取得されたパラメータを抽出する。次に、LTF  transmitterモジュールは、LTFシーケンスの設計又は取得されたパラメータに従って、各STAのLTFシーケンスを生成する。LTFシーケンスは、Frame  multiplexingモジュールに入り、フレーム構造に従ってアップリンクデータによってpacket  frameを構成する。ＴＸはパケットフレームをAPに送信する。APでは、LTF  receptionは、Control  Unitによって設計又は取得されたLTFパラメータに従って、各STAのLTF基本シーケンスを受信し、LTF基本シーケンスを用いてチャネル推定及びCFO推定を実行する（CFO推定の実行は任意である）。
【０４４４】
加えて、アップリンクSU-MIMOの場合、LTFパラメータの設計又は取得を担当するControl  Unit及びControl  information  transmitterも、STAに備えられてよい。このケースでは、LTFパラメータは、APによって設計又は取得されてSTAに通知される代わりに、SU-MIMOにおけるストリームの数に従って、STAによって設計又は取得される。これに対応して、Control  information  receptionはAP側に備えられ、SIG-Aから、LTFシーケンスの設計又は取得されたパラメータを抽出するように構成される。
【０４４５】
当業者であれば理解できるように、LTFを生成するための異なるパラメータが設定され得る様々な適用シナリオに含まれる、本明細書の各実施方式で言及されるタイプは、空間ストリームの数Nss、環境タイプ又はMCS特性を含むが、これに限定されない。環境タイプのみを例に挙げると、屋内又は屋外に加えて、環境タイプは、密集領域（ショッピングモール、裁判所、オフィスエリア等）、非密集領域（家等）、遠隔地、都市部のエリアを含むが、これに限定されない。要するに、LTFが生成されるときに異なるパラメータが異なる適用シナリオに用いられれば、係る実施は本発明の実施方式の範囲に包含される。
【０４４６】
当業者であれば理解できるように、具体的なAPやSTAについて、前述のマッピング関係テーブルに対して、実際の状況に応じて種々の変形が可能である。例えば、APは一般に移動する必要はなく、一般に適用環境で使用される場合は変更されないので、１つ以上のタイプのパラメータのみがAPに設定されてよい。パラメータは、従来技術のものとは異なる周波数ドメイン変換パラメータ（例えば、LTFシーケンスに含まれるLTFシンボルの空間ストリームを区別するためのサブキャリア数M）を少なくとも含む（表２，３，３ａのタイプ２のパラメータ、表４及び５の環境タイプ１及び２のパラメータ、表５ａの環境タイプ１のパラメータを参照、表６，７，７ａ，７ｂのパラメータを参照）。別の例では、いくつかのSTAは、未知の理由で、実施方式で言及されたいくつかのタイプと、タイプの対応するパラメータのみを構成することができる。
【０４４７】
各実施方式におけるマッピング関係テーブルは、マッピング関係コンテンツの一例に過ぎない。一方で、矛盾又は衝突が生じない場合には、各実施方式におけるマッピング関係テーブルを組み合わせることができる。一方、具体的なAP又はSTAに記憶されている具体的な形式又は状態は限定されない。例えば、AP又はSTAは、表６，７，７ａ，７ｂに同時にパラメータを記憶し、必要に応じてパラメータを選択して使用することができる。別の例として、記憶されたマッピング関係は文字列であってもよいし、記憶リソースを節約するための配置が実際の要件に従って行われてもよい。例えば、適用シナリオに応じて変化しないいくつかの特定のパラメータが、デフォルトパラメータとして設定され、例えば表４，５，５ａのパラメータS等、繰り返し記憶される必要はない。代替として、パラメータの値は、記憶リソースを節約するために特別なインジケータ値を用いて示される。例えば、表４において、Lについては、インジケータ値１はL＝５６を示すために用いられ、インジケータ値２はL＝１１２を示すために用いられ、インジケータ値３はL＝２２４を示すために用いられ、Lの３つのインジケータ値のみが必要とされる。LTFが生成されるときに各実施方式で示されたマッピング関係テーブルの具体的な内容が用いられる限り、係る実施は実施方式の範囲に包含される。
【０４４８】
別個の部品として記載されたユニットは物理的に分離していてもいなくてもよい。ユニットとして表示される部品は、１つ以上の物理的ユニットであってもよく、１つの場所に配置されてもよく、異なる場所に配置されてもよい。ユニットの一部又は全部は、実施形態の解決策の目的を達成するために実際の要件に応じて選択されてよい。
【０４４９】
加えて、本発明の実施形態における機能ユニットは、１つの処理ユニットに統合されてもよいし、ユニットの各々は物理的に単独で存在してもよいし、２つ以上のユニットが１つのユニットに統合されてもよい。統合ユニットは、ハードウェアの形態で実施されてもよく、ソフトウェア機能ユニットの形態で実施されてもよい。
【０４５０】
統合ユニットがソフトウェア機能ユニットの形態で実施され、独立した製品として販売又は使用される場合、統合ユニットは読取り可能な記憶媒体に格納されてよい。そのような理解に基づいて、本発明の技術的解決策は本質的に、或いは従来技術に寄与する部分、又は技術的解決策の全部又は一部は、ソフトウェア製品の形態で実施されてよい。ソフトウェア製品は記憶媒体に記憶され、デバイス（シングルチップマイクロコンピュータ、チップ等であってよい）又はプロセッサ（processor）に、本発明の実施形態に記載の方法のステップの全部又は一部を実行するよう指示するための、いくつかの命令を含む。前述の記憶媒体は、ＵＳＢフラッシュドライブ、リムーバブルハードディスク、リードオンリメモリ（ROM、Read-Only  Memory）、ランダムアクセスメモリ（RAM、Random  Access  Memory）、磁気ディスク、光ディスク等の、プログラムコードを記憶することのできる任意の媒体が挙げられる。
【０４５１】
前述の説明は、本発明の具体的な実施方式に過ぎず、本発明の保護範囲を限定するものではない。当業者が本発明に開示された技術的範囲内で容易に想到できる任意の変形又は置換は、本発明の保護範囲に包含されるものとする。したがって、本発明の保護範囲は、特許請求の範囲の保護範囲に属するものとする。
【図１】
0006454779.tif 000062
【図２】
0006454779.tif 000063
【図３】
0006454779.tif 000064
【図４】
0006454779.tif 000065
【図５】
0006454779.tif 000066
【図６】
0006454779.tif 000067
【図７】
0006454779.tif 000068
【図８】
0006454779.tif 000069
【図９】
0006454779.tif 000070
【図１０】
0006454779.tif 000071
【図１１】
0006454779.tif 000072
【図１２】
0006454779.tif 000073
【図１３】
0006454779.tif 000074
【図１４】
0006454779.tif 000075
【図１５】
0006454779.tif 000076
【図１６】
0006454779.tif 000077
【図１７ａ】
0006454779.tif 000078
【図１７ｂ】
0006454779.tif 000079
【図１８ａ】
0006454779.tif 000080
【図１８ｂ】
0006454779.tif 000081
【図１９ａ】
0006454779.tif 000082
【図１９ｂ】
0006454779.tif 000083